(57)【特許請求の範囲】
【請求項１】
透視画像データが撮像される撮像被験者に薬液注入を実行する薬液注入装置であって、
前記薬液注入を実行する注入実行機構と、
設定される注入制御データに対応して前記注入実行機構を動作制御して前記薬液注入を実行させる注入制御部と、
前記薬液注入の実行以前に前記撮像被験者の腎機能データを取得するデータ入力部と、
前記薬液注入の時間、前記薬液注入の注入速度、及び、前記薬液注入の注入速度を経時変化させる注入変化パターンの中の少なくとも１つを、取得された前記腎機能データに対応して調整した前記注入制御データを生成して前記注入制御部に設定する制御設定部と、
を有する薬液注入装置。
【請求項２】
前記制御設定部は、前記薬液注入の注入総量を前記腎機能データに対応して調整した前記注入制御データを生成する請求項１に記載の薬液注入装置。
【請求項３】
前記データ入力部は、注入薬液に対応した薬液条件データも取得し、
前記制御設定部は、前記薬液条件データにも対応して前記注入制御データを生成する請求項１又は２に記載の薬液注入装置。
【請求項４】
前記注入実行機構は、前記薬液条件データが記録されていて前記注入薬液が充填されている薬液シリンジを駆動し、
前記データ入力部は、前記薬液シリンジから前記薬液条件データを取得する請求項３に記載の薬液注入装置。
【請求項５】
前記注入実行機構は、前記薬液条件データが記録されているＲＦＩＤチップが搭載されている前記薬液シリンジを駆動し、
前記データ入力部は、前記ＲＦＩＤチップから前記薬液条件データを取得する請求項４に記載の薬液注入装置。
【請求項６】
前記腎機能データと前記薬液条件データと前記注入制御データとの少なくとも一部を表示出力と音声出力との少なくとも一方で報知出力するデータ報知部を、さらに有する請求項３ないし５の何れか一項に記載の薬液注入装置。
【請求項７】
前記注入実行機構は、注入薬液として造影剤とともに生理食塩水も注入し、
前記注入制御部は、前記造影剤と前記生理食塩水との少なくとも一方の前記注入制御データを前記腎機能データに対応して生成する請求項１ないし６の何れか一項に記載の薬液注入装置。
【請求項８】
前記注入制御部は、前記造影剤と前記生理食塩水との注入割合を前記腎機能データに対応して調整した前記注入制御データを生成する請求項７に記載の薬液注入装置。
【請求項９】
前記データ入力部は、前記腎機能データとして血清クレアチニン値と糸球体濾過値との少なくとも一方を取得する請求項１ないし８の何れか一項に記載の薬液注入装置。
【請求項１０】
前記データ入力部は、前記腎機能データとして血清クレアチニン値と年齢と体重とを取得し、
前記制御設定部は、取得された前記血清クレアチニン値と前記年齢と前記体重とで糸球体濾過値の推定値を算出する請求項１ないし８の何れか一項に記載の薬液注入装置。
【請求項１１】
前記制御設定部は、前記糸球体濾過値の推定値を
（１４０−年齢）×体重／７２×血清クレアチニン値
として算出する請求項１０に記載の薬液注入装置。
【請求項１２】
前記データ入力部は、前記腎機能データとして血清クレアチニン値と年齢と体重と性別とを取得し、
前記制御設定部は、取得された前記血清クレアチニン値と前記年齢と前記体重と前記性別とで糸球体濾過値の推定値を算出する請求項１ないし８の何れか一項に記載の薬液注入装置。
【請求項１３】
前記制御設定部は、前記性別が男性の前記糸球体濾過値の推定値を
（１４０−年齢）×体重／７２×血清クレアチニン値
として算出し、前記性別が女性の前記糸球体濾過値の推定値を
（１４０−年齢）×体重／７２×血清クレアチニン値×０．８５
として算出する請求項１２に記載の薬液注入装置。
【請求項１４】
前記データ入力部は、前記腎機能データとして血清クレアチニン値と年齢と性別とを取得し、
前記制御設定部は、取得された前記血清クレアチニン値と前記年齢と前記性別とで糸球体濾過値の推定値を算出する請求項１ないし８の何れか一項に記載の薬液注入装置。
【請求項１５】
前記制御設定部は、前記性別が男性の前記糸球体濾過値の推定値を
１９４×血清クレアチニン値の冪乗−１．０９４×年齢−０．２８７
として算出し、前記性別が女性の前記糸球体濾過値の推定値を
(１９４×血清クレアチニン値の冪乗−１．０９４×年齢−０．２８７)×０．７３９
として算出する請求項１４に記載の薬液注入装置。
【請求項１６】
前記制御設定部は、前記性別が男性の前記糸球体濾過値の推定値を
１７５×血清クレアチニン値−１．１５４×年齢−０．２０３×０．７４１
として算出し、前記性別が女性の前記糸球体濾過値の推定値を
１７５×血清クレアチニン値−１．１５４×年齢−０．２０３×０．７４２
として算出する請求項１４に記載の薬液注入装置。
【請求項１７】
前記データ入力部は、体表面積も取得し、
前記制御設定部は、取得された前記体表面積で糸球体濾過値の推定値を補正する請求項１０ないし１６の何れか一項に記載の薬液注入装置。
【請求項１８】
前記データ入力部は、前記腎機能データとして身長も取得し、
前記制御設定部は、取得された前記身長と前記体重とで前記体表面積を算出する請求項１７に記載の薬液注入装置。
【請求項１９】
前記データ入力部は、別体の体重身長計により前記撮像被験者から測定された体重および身長を前記腎機能データの少なくとも一部として取得する請求項１８に記載の薬液注入装置。
【請求項２０】
前記データ入力部は、別体のクレアチニン測定装置により前記撮像被験者の血液から測定された前記血清クレアチニン値を前記腎機能データの少なくとも一部として取得する請求項９ないし１６の何れか一項に記載の薬液注入装置。
【請求項２１】
前記データ入力部は、別体のカルテ管理装置で前記撮像被験者ごとにデータ管理されている被験者電子カルテから前記腎機能データの少なくとも一部を取得する請求項１ないし２０の何れか一項に記載の薬液注入装置。
【請求項２２】
前記データ入力部は、別体の撮像管理装置で撮像作業ごとにデータ管理されている撮像オーダデータから前記腎機能データの少なくとも一部を取得する請求項１ないし２１の何れか一項に記載の薬液注入装置。
【請求項２３】
取得された前記腎機能データから前記撮像被験者の腎機能不良を判定する機能判定部と、
判定された前記腎機能不良を報知する警告報知部とを、
さらに有する請求項１ないし２２の何れか一項に記載の薬液注入装置。
【請求項２４】
前記注入制御データに対応した前記注入実行機構の動作履歴からなる注入履歴データを生成する履歴生成部と、
生成された前記注入履歴データを外部に送信して前記透視画像データとともに保存させるデータ出力部とを、
さらに有する請求項１ないし２３の何れか一項に記載の薬液注入装置。
【請求項２５】
前記履歴生成部は、前記腎機能データと前記注入制御データとの少なくとも一部も前記注入履歴データに登録する請求項２４に記載の薬液注入装置。
【請求項２６】
前記データ入力部は、注入薬液に対応した薬液条件データも取得し、
前記データ出力部は、取得された前記薬液条件データと前記注入制御データと前記注入履歴データとの少なくとも一部を各種の会計関連データに基づいて撮像作業の会計処理を実行する外部の会計処理装置に前記会計関連データの一部として送信する請求項２４または２５に記載の薬液注入装置。
【請求項２７】
撮像被験者から透視画像データを撮像する透視撮像装置と、
前記撮像被験者に薬液注入を実行する請求項１ないし２６の何れか一項に記載の薬液注入装置と、
前記薬液注入装置に前記撮像被験者ごとの前記腎機能データを提供するデータ提供装置と、
を有する透視撮像システム。
【請求項２８】
透視画像データが撮像される撮像被験者に注入実行機構で薬液注入を実行する薬液注入装置のコンピュータプログラムであって、
コンピュータを、
設定される注入制御データに対応して前記注入実行機構を動作制御して前記薬液注入を実行させる注入制御手段、
前記薬液注入の実行以前に前記撮像被験者の腎機能データを取得するデータ入力手段、
前記薬液注入の時間、前記薬液注入の注入速度、及び、前記薬液注入の注入速度を経時変化させる注入変化パターンの中の少なくとも１つを、取得された前記腎機能データに対応して調整した前記注入制御データを生成して設定する制御設定手段、
として機能させるためのプログラム。
【請求項２９】
透視画像データが撮像される撮像被験者に注入実行機構で薬液注入を実行する薬液注入装置のデータ処理方法であって、
コンピュータが、
設定される注入制御データに対応して前記注入実行機構を動作制御して前記薬液注入を実行させる注入制御工程と、
前記薬液注入の実行以前に前記撮像被験者の腎機能データを取得するデータ入力工程と、
前記薬液注入の時間、前記薬液注入の注入速度、及び、前記薬液注入の注入速度を経時変化させる注入変化パターンの中の少なくとも１つを、取得された前記腎機能データに対応して調整した前記注入制御データを生成して設定する制御設定工程と、
を実行するデータ処理方法。
【発明の詳細な説明】
【技術分野】
【０００１】
本発明は、透視画像データが撮像される撮像被験者に薬液シリンジから薬液注入を実行する薬液注入装置、この薬液注入装置を有する透視撮像システム、薬液注入装置のコンピュータプログラムおよびデータ処理方法、に関する。
【背景技術】
【０００２】
現在、撮像被験者の透視画像データである断層画像を撮像する透視撮像装置としては、ＣＴ（Ｃｏｍｐｕｔｅｄ  Ｔｏｍｏｇｒａｐｈｙ）スキャナ、ＭＲＩ（Ｍａｇｎｅｔｉｃ  Ｒｅｓｏｎａｎｃｅ  Ｉｍａｇｉｎｇ）装置、ＰＥＴ（Ｐｏｓｉｔｒｏｎ  Ｅｍｉｓｓｉｏｎ  Ｔｏｍｏｇｒａｐｈｙ）装置、超音波診断装置、等がある。また、撮像被験者の透視画像データである血管画像を撮像する透視撮像装置としては、ＣＴアンギオ装置、ＭＲＡ（ＭＲ  Ａｎｇｉｏ）装置、等がある。【０００３】
上述のような透視撮像装置を使用するとき、撮像被験者に造影剤や生理食塩水などの薬液注入を実行することがあり、この注入を自動的に実行する薬液注入装置も実用化されている。一般的な薬液注入装置は、注入薬液が充填されている薬液シリンジを保持し、そのシリンダ部材にピストン部材を圧入することで撮像被験者に薬液注入を実行する。【０００４】
透視撮像装置はスタンドアロンでも機能するが、通常は透視撮像装置を一部とした透視撮像システムが構築される。このような透視撮像システムは、例えば、カルテ管理装置、撮像管理装置、透視撮像装置、データ保存装置、画像閲覧装置、等からなる。【０００５】
カルテ管理装置は、一般的にはＨＩＳ（Ｈｏｓｐｉｔａｌ  Ｉｎｆｏｒｍａｔｉｏｎ  Ｓｙｓｔｅｍ）等と呼称されており、いわゆる被験者電子カルテを管理する。この被験者電子カルテは、撮像被験者ごとに作成されている。【０００６】
例えば、ある撮像被験者から透視画像データを撮像する場合、その撮像被験者の被験者電子カルテに基づいてカルテ管理装置で撮像オーダデータが作成される。この撮像オーダデータは、撮像被験者から透視画像データが撮像される撮像作業ごとに生成される。【０００７】
より具体的には、撮像オーダデータは、例えば、固有の識別情報である撮像作業ＩＤ（ＩＤｅｎｔｉｔｙ）、透視撮像装置の識別情報、撮像被験者ＩＤ、撮像開始および終了の日時、等からなる。【０００８】
このような撮像オーダデータがＨＩＳから撮像管理装置に供給される。撮像管理装置は、一般的にはＲＩＳ（Ｒａｄｉｏｌｏｇｙ  Ｉｎｆｏｒｍａｔｉｏｎ  Ｓｙｓｔｅｍ）等と呼称されており、撮像被験者から透視画像データを撮像するための撮像オーダデータを記憶する。【０００９】
透視撮像装置は、ＲＩＳから撮像オーダデータを取得して撮像作業を実行する。その場合、透視撮像装置では、撮像オーダデータに対応して撮像被験者から透視画像データが撮像される。この透視画像データは、透視撮像装置で撮像オーダデータの少なくとも一部が付与されてデータ保存装置に出力される。【００１０】
このデータ保存装置は、一般的にはＰＡＣＳ（Ｐｉｃｔｕｒｅ  Ａｒｃｈｉｖｅ  ａｎｄ  Ｃｏｍｍｕｎｉｃａｔｉｏｎ  Ｓｙｓｔｅｍ）等と呼称されており、撮像オーダデータが付与された透視画像データを保存する。【００１１】
ＰＡＣＳには、一般にビューアと呼称される画像閲覧装置が接続されている。この画像閲覧装置は、例えば、撮像オーダデータを検索キーとして透視画像データを読み出し、その透視画像データを表示する。【００１２】
上述のような透視撮像システムとしては、各種の提案がある（例えば、特許文献１，２参照）。
【特許文献１】特開２００１−１０１３２０号
【特許文献２】特開２００５−１９８８０８号
【発明の開示】
【００１３】
上述のような透視撮像システムでは、透視撮像装置により透視画像データが撮像される撮像被験者に、薬液注入装置により薬液シリンジから造影剤などが薬液注入されるので、透視画像データの画質を向上させることができる。
【００１４】
しかし、撮像被験者の腎機能が低下している場合、造影剤などの薬液注入を実行すると良好に濾過されず、健康状態に問題が発生することがある。
【００１５】
上述のような個人的な腎機能不良は、判明している場合には被験者カルテ用紙や被験者電子カルテに記録される。このため、薬液注入の現場では、注入薬液の注入以前に被験者カルテ用紙などで腎機能を確認している。
【００１６】
しかし、薬液注入の現場で、被験者カルテ用紙や被験者電子カルテにより撮像被験者の腎機能を確認することは作業が煩雑である。特に、造影剤の注入可否を判断する腎機能としては糸球体濾過値があるが、この糸球体濾過値は被験者カルテ用紙や被験者電子カルテに登録されていないことが一般である。
【００１７】
また、腎機能に多少の不良があっても、医師が注意しながら手動操作で造影剤を注入することはある。撮像被験者が注入された造影剤を問題なく腎機能で濾過できるかには、造影剤の濃度、造影剤の注入速度、注入時間、注入総量、追加注入される生理食塩水の注入速度、注入時間、注入総量、注入タイミング、等が関係する。
【００１８】
換言すると、腎機能に不良がある撮像被験者に医師が手動操作で造影剤を注入する場合には、造影剤の濃度、造影剤の注入速度、注入時間、注入総量、追加注入される生理食塩水の注入速度、注入時間、注入総量、注入タイミング、等を総合的に勘案しながら手動調整することになる。しかし、このような作業は非常に複雑であり、誤操作が発生する可能性も高い。
【００１９】
本発明は上述のような課題に鑑みてなされたものであり、腎機能不良の撮像被験者に造影剤などが腎機能良好の場合と同様に薬液注入されるようなことを簡単かつ確実に防止することができる薬液注入装置、この薬液注入装置を有する透視撮像システム、薬液注入装置のコンピュータプログラム、を提供することを目的とする。
【００２０】
本発明の薬液注入装置は、透視画像データが撮像される撮像被験者に薬液注入を実行する薬液注入装置であって、薬液注入を実行する注入実行機構と、設定される注入制御データに対応して注入実行機構を動作制御して薬液注入を実行させる注入制御部と、薬液注入の実行以前に撮像被験者の腎機能データを取得するデータ入力部と、取得された腎機能データに対応した注入制御データを生成して注入制御部に設定する制御設定部と、を有する。
【００２１】
従って、本発明の薬液注入装置では、注入制御部が設定される注入制御データに対応して注入実行機構を動作制御して薬液注入を実行させる。ただし、この薬液注入の実行以前に撮像被験者の腎機能データをデータ入力部が取得し、取得された腎機能データに対応した注入制御データを制御設定部が生成して注入制御部に設定する。このため、撮像被験者の腎機能に対応して薬液注入が最良に動作制御される。
【００２２】
また、上述のような薬液注入装置において、制御設定部は、薬液注入の注入総量と注入時間と注入速度との少なくとも一つを腎機能データに対応して調整した注入制御データを生成してもよい。
【００２３】
また、上述のような薬液注入装置において、制御設定部は、薬液注入の注入速度を経時変化させる注入変化パターンを腎機能データに対応して調整した注入制御データを生成してもよい。
【００２４】
また、上述のような薬液注入装置において、データ入力部は、注入薬液に対応した薬液条件データも取得し、制御設定部は、薬液条件データにも対応して注入制御データを生成してもよい。
【００２５】
また、上述のような薬液注入装置において、注入実行機構は、薬液条件データが記録されていて注入薬液が充填されている薬液シリンジを駆動し、データ入力部は、薬液シリンジから薬液条件データを取得してもよい。
【００２６】
また、上述のような薬液注入装置において、注入実行機構は、薬液条件データが記録されているＲＦＩＤ（Ｒａｄｉｏ  Ｆｒｅｑｕｅｎｃｙ  ＩＤｅｎｔｉｆｉｃａｔｉｏｎ）チップが搭載されている薬液シリンジを駆動し、データ入力部は、ＲＦＩＤチップから薬液条件データを取得してもよい。
【００２７】
また、上述のような薬液注入装置において、腎機能データと薬液条件データと注入制御データとの少なくとも一部を表示出力と音声出力との少なくとも一方で報知出力するデータ報知部を、さらに有してもよい。
【００２８】
また、上述のような薬液注入装置において、注入実行機構は、注入薬液として造影剤とともに生理食塩水も注入し、注入制御部は、造影剤と生理食塩水との少なくとも一方の注入制御データを腎機能データに対応して生成してもよい。
【００２９】
また、上述のような薬液注入装置において、注入制御部は、造影剤と生理食塩水との注入割合を腎機能データに対応して調整した注入制御データを生成してもよい。
【００３０】
また、上述のような薬液注入装置において、データ入力部は、腎機能データとして血清クレアチニン値と糸球体濾過値との少なくとも一方を取得してもよい。
【００３１】
また、上述のような薬液注入装置において、データ入力部は、腎機能データとして血清クレアチニン値と年齢と体重とを取得し、制御設定部は、取得された血清クレアチニン値と年齢と体重とで糸球体濾過値の推定値を算出してもよい。
【００３２】
また、上述のような薬液注入装置において、制御設定部は、糸球体濾過値の推定値を
（１４０−年齢）×体重／７２×血清クレアチニン値
として算出してもよい。
【００３３】
また、上述のような薬液注入装置において、データ入力部は、腎機能データとして血清クレアチニン値と年齢と体重と性別とを取得し、制御設定部は、取得された血清クレアチニン値と年齢と体重と性別とで糸球体濾過値の推定値を算出してもよい。
【００３４】
また、上述のような薬液注入装置において、制御設定部は、性別が男性の糸球体濾過値の推定値を
（１４０−年齢）×体重／７２×血清クレアチニン値
として算出し、性別が女性の糸球体濾過値の推定値を
（１４０−年齢）×体重／７２×血清クレアチニン値×０．８５
として算出してもよい。
【００３５】
また、上述のような薬液注入装置において、データ入力部は、腎機能データとして血清クレアチニン値と年齢と性別とを取得し、制御設定部は、取得された血清クレアチニン値と年齢と性別とで糸球体濾過値の推定値を算出してもよい。
【００３６】
また、上述のような薬液注入装置において、制御設定部は、性別が男性の糸球体濾過値の推定値を
１９４×血清クレアチニン値の冪乗−１．０９４×年齢−０．２８７
として算出し、性別が女性の糸球体濾過値の推定値を
(１９４×血清クレアチニン値の冪乗−１．０９４×年齢−０．２８７)×０．７３９
として算出してもよい。
【００３７】
また、上述のような薬液注入装置において、制御設定部は、性別が男性の糸球体濾過値の推定値を
１７５×血清クレアチニン値−１．１５４×年齢−０．２０３×０．７４１
として算出し、性別が女性の糸球体濾過値の推定値を
１７５×血清クレアチニン値−１．１５４×年齢−０．２０３×０．７４２
として算出してもよい。
【００３８】
また、上述のような薬液注入装置において、データ入力部は、体表面積も取得し、制御設定部は、取得された体表面積で糸球体濾過値の推定値を補正してもよい。
【００３９】
また、上述のような薬液注入装置において、データ入力部は、腎機能データとして身長も取得し、制御設定部は、取得された身長と体重とで体表面積を算出してもよい。
【００４０】
また、上述のような薬液注入装置において、データ入力部は、別体の体重身長計により撮像被験者から測定された体重および身長を腎機能データの少なくとも一部として取得してもよい。
【００４１】
また、上述のような薬液注入装置において、データ入力部は、別体のクレアチニン測定装置により撮像被験者の血液から測定された血清クレアチニン値を腎機能データの少なくとも一部として取得してもよい。
【００４２】
また、上述のような薬液注入装置において、データ入力部は、別体のカルテ管理装置で撮像被験者ごとにデータ管理されている被験者電子カルテから腎機能データの少なくとも一部を取得してもよい。
【００４３】
また、上述のような薬液注入装置において、データ入力部は、別体の撮像管理装置で撮像作業ごとにデータ管理されている撮像オーダデータから腎機能データの少なくとも一部を取得してもよい。
【００４４】
また、上述のような薬液注入装置において、取得された腎機能データから撮像被験者の腎機能不良を判定する機能判定部と、判定された腎機能不良を確認警告を報知出力する警告報知部とを、さらに有してもよい。
【００４５】
また、上述のような薬液注入装置において、注入制御データに対応した注入実行機構の動作履歴からなる注入履歴データを生成する履歴生成部と、生成された注入履歴データを外部に送信して透視画像データとともに保存させるデータ出力部とを、さらに有してもよい。
【００４６】
また、上述のような薬液注入装置において、履歴生成部は、腎機能データと注入制御データとの少なくとも一部も注入履歴データに登録してもよい。
【００４７】
また、上述のような薬液注入装置において、データ入力部は、注入薬液に対応した薬液条件データも取得し、データ出力部は、取得された薬液条件データと注入制御データと注入履歴データとの少なくとも一部を各種の会計関連データに基づいて撮像作業の会計処理を実行する外部の会計処理装置に会計関連データの一部として送信してもよい。
【００４８】
本発明の透視撮像システムは、撮像被験者から透視画像データを撮像する透視撮像装置と、撮像被験者に薬液注入を実行する本発明の薬液注入装置と、薬液注入装置に撮像被験者ごとの腎機能データを提供するデータ提供装置と、を有する。
【００４９】
本発明のコンピュータプログラムは、透視画像データが撮像される撮像被験者に注入実行機構で薬液注入を実行する薬液注入装置のコンピュータプログラムであって、設定される注入制御データに対応して注入実行機構を動作制御して薬液注入を実行させる注入制御処理と、薬液注入の実行以前に撮像被験者の腎機能データを取得するデータ取得処理と、取得された腎機能データに対応した注入制御データを生成する制御設定処理と、を薬液注入装置に実行させる。
【００５０】
本発明のデータ処理方法は、透視画像データが撮像される撮像被験者に注入実行機構で薬液注入を実行する薬液注入装置のデータ処理方法であって、設定される注入制御データに対応して注入実行機構を動作制御して薬液注入を実行させる注入制御動作と、薬液注入の実行以前に撮像被験者の腎機能データを取得するデータ取得動作と、取得された腎機能データに対応した注入制御データを生成する制御設定動作と、を薬液注入装置に実行させる。
【００５１】
なお、本発明で云う各種の構成要素は、その機能を実現するように形成されていればよく、例えば、所定の機能を発揮する専用のハードウェア、所定の機能がコンピュータプログラムにより付与されたデータ処理装置、コンピュータプログラムによりデータ処理装置に実現された所定の機能、これらの任意の組み合わせ、等として実現することができる。
【００５２】
また、本発明で云う各種の構成要素は、個々に独立した存在である必要もなく、複数の構成要素が一個の部材として形成されていること、一つの構成要素が複数の部材で形成されていること、ある構成要素が他の構成要素の一部であること、ある構成要素の一部と他の構成要素の一部とが重複していること、等でよい。
【００５３】
また、本発明で云う薬液シリンジとは、シリンジメーカで注入薬液が充填されて薬液条件データが記録されたプレフィルドシリンジでよい。ただし、シリンジメーカから医療現場にリフィルシリンジとして出荷され、医療現場で注入薬液が充填されるとともに薬液条件データが記録されたものでもよい。
【００５４】
本発明の薬液注入装置では、注入制御部が設定される注入制御データに対応して注入実行機構を動作制御して薬液注入を実行させる。ただし、この薬液注入の実行以前に撮像被験者の腎機能データをデータ入力部が取得し、取得された腎機能データに対応した注入制御データを制御設定部が生成して注入制御部に設定する。このため、撮像被験者の腎機能に対応して薬液注入を最良に動作制御することができる。従って、腎機能不良の撮像被験者への造影剤などの薬液注入が、腎機能良好な撮像被験者への薬液注入と同様に実行されることなどを、簡単かつ確実に防止することができる。
【図面の簡単な説明】
【００５５】
上述した目的、および、その他の目的、特徴および利点は、以下に述べる好適な実施の形態、および、それに付随する以下の図面によって、さらに明らかになる。
【図１】本発明の実施の形態の薬液注入装置の論理構造を示す模式的なブロック図である。
【図２】透視撮像システムの論理構造を示す模式的なブロック図である。
【図３】透視撮像システムの物理構造を示すブロック図である。
【図４】透視撮像装置であるＣＴスキャナの透視撮像ユニットと薬液注入装置の注入実行ヘッドとの外観を示す斜視図である。
【図５】薬液注入装置の外観を示す斜視図である。
【図６】薬液注入装置の注入実行ヘッドを薬液シリンジとともに示す分解斜視図である。
【図７】薬液注入装置の他の論理構造を示す模式的なブロック図である。
【図８】薬液注入装置の表示画面に身体区分の模式画像が表示出力された初期状態を示す模式的な正面図である。
【図９】身体区分と撮像部位とが選定された表示状態を示す模式的な正面図である。
【図１０】注入制御データが表示出力された状態を示す模式的な正面図である。
【図１１】撮像被験者ＩＤの取得中のガイダンスメッセージが表示出力された状態を示す模式的な正面図である。
【図１２】撮像被験者ＩＤの取得エラーのガイダンスメッセージが表示出力された状態を示す模式的な正面図である。
【図１３】血清クレアチニン値や糸球体濾過値の推定値などが表示出力された状態を示す模式的な正面図である。
【図１４】薬液条件データが表示出力された状態を示す模式的な正面図である。
【図１５】注入制御データが設定された表示状態を示す模式的な正面図である。
【図１６】撮像被験者ＩＤの照合エラーのガイダンスメッセージが表示出力された状態を示す模式的な正面図である。
【図１７】手動設定された注入制御データにより薬液注入動作が実行された場合の経時グラフが表示出力された状態を示す模式的な正面図である。
【図１８】薬液条件データおよび注入条件データに基づいて自動設定された注入制御データにより薬液注入動作が実行された場合の経時グラフが表示出力された状態を示す模式的な正面図である。
【図１９】薬液注入装置の処理動作の前半部分を示すフローチャートである。
【図２０】薬液注入装置の処理動作の中盤部分を示すフローチャートである。
【図２１】薬液注入装置の処理動作の後半部分を示すフローチャートである。
【図２２】透視撮像システムの処理動作を示す模式的なタイムチャートである。
【図２３】一変形例の薬液注入装置で血清クレアチニン値や糸球体濾過値の推定値などとともに副作用履歴が表示出力された状態を示す模式的な正面図である。
【発明を実施するための最良の形態】
【００５６】
本発明の実施の形態を図面を参照して以下に説明する。本発明の実施の形態の透視撮像システム１０００は、図２および図３に示すように、撮像管理装置であるＲＩＳ１００、透視撮像装置であるＣＴスキャナ２００、データ保存装置であるＰＡＣＳ３００、薬液注入装置４００、データ制御装置である制御ボックス５００、画像閲覧装置６００、データ提供装置の一つでありカルテ管理装置であるＨＩＳ９００、データ提供装置の一つであるクレアチニン測定装置９２０，データ提供装置の一つである体重身長計９３０、を有する。【００５７】
本実施の形態の透視撮像システム１０００では、図示するように、ＨＩＳ９００が、ＬＡＮ（Ｌｏｃａｌ  Ａｒｅａ  Ｎｅｔｗｏｒｋ）等の通信ネットワーク７００によりＲＩＳ１００と接続されている。【００５８】
このＲＩＳ１００およびＰＡＣＳ３００は、通信ネットワーク７０１，７０２によりＣＴスキャナ２００と接続されている。一方、制御ボックス５００も、通信ネットワーク７０３〜７０５により、ＲＩＳ１００、ＰＡＣＳ３００、薬液注入装置４００、と接続されている。そして、ＰＡＣＳ３００には、画像閲覧装置６００が通信ネットワーク７０６により接続されている。【００５９】
本実施の形態の透視撮像システム１０００は、いわゆるＤＩＣＯＭ（Ｄｉｇｉｔａｌ  Ｉｍａｇｉｎｇ  ａｎｄ  ＣＯｍｍｕｎｉｃａｔｉｏｎｓ  ｉｎ  Ｍｅｄｉｃｉｎｅ）規格に準拠している。このため、その各種装置１００〜６００，９００は、ＤＩＣＯＭの規約で各種データを相互通信する。【００６０】
本実施の形態の透視撮像システム１０００では、ＣＴスキャナ２００、ＰＡＣＳ３００、薬液注入装置４００、制御ボックス５００、ＨＩＳ９００、が各々一個であり、何れの組み合わせも一対一の関係となっている。【００６１】
本実施の形態のＨＩＳ９００は、いわゆるコンピュータ装置からなり、専用のコンピュータプログラムが実装されている。このコンピュータプログラムに対応してコンピュータ装置が各種処理を実行することにより、ＨＩＳ９００には、カルテ管理部９０１等の各部が各種機能として論理的に実現されている。【００６２】
カルテ管理部９０１は、上述のコンピュータプログラムに対応して認識されるＨＤＤ（Ｈａｒｄ  Ｄｉｓｃ  Ｄｒｉｖｅ）の記憶エリアなどに相当し、いわゆる被験者電子カルテを撮像被験者ごとに記憶している。【００６３】
この被験者電子カルテは、例えば、固有の識別情報であるカルテＩＤ、撮像被験者ごとの撮像被験者ＩＤ、撮像被験者の氏名などの個人データ、撮像被験者の疾病に関するカルテデータ、等のテキストデータからなる。【００６４】
このような被験者電子カルテのカルテデータには、治療全般に関連した個人条件データとして、撮像被験者の体重、性別、年齢、血清クレアチニン値、等が登録されている。なお、本実施の形態の薬液シリンジ８００は、プレフィルドタイプを想定しているため、上述の注入薬液ＩＤは薬液シリンジ８００の製品ＩＤに相当する。【００６５】
本実施の形態のＲＩＳ１００も、いわゆるコンピュータ装置からなり、実装されている専用のコンピュータプログラムに対応して各種処理を実行することにより、オーダ管理部１０１、オーダ選定部１０２、統合制御部１０３、等の各部が各種機能として論理的に実現されている。【００６６】
オーダ管理部１０１は、上述のコンピュータプログラムに対応して認識されるＨＤＤの記憶エリアなどに相当し、撮像被験者から透視画像データを撮像するための撮像オーダデータを固有の識別情報で管理する。この撮像オーダデータは、ＨＩＳ９００から取得する被験者電子カルテに基づいて作成される。【００６７】
このように作成される撮像オーダデータは、例えば、固有の識別情報である撮像作業ＩＤ、ＣＴ撮像やＭＲ撮像などの作業種別、前述の被験者電子カルテの撮像被験者ＩＤとカルテデータ、ＣＴスキャナ２００の識別情報、撮像開始および終了の日時、身体区分または撮像部位、撮像作業に対応した造影剤などの注入薬液種別からなる適正種別、撮像作業に適合した注入薬液ＩＤからなる適正ＩＤ、等のテキストデータからなる。【００６８】
なお、上述のように撮像オーダデータには被験者電子カルテのカルテデータが内包されるので、そのカルテデータの個人条件データも内包される。このため、撮像オーダデータには、撮像被験者の体重、性別、年齢、血清クレアチニン値、等も登録される。【００６９】
オーダ選定部１０２は、例えば、キーボードなどの入力操作に対応してＣＰＵが所定処理を実行する機能などに相当し、注入作業者の入力操作に対応して複数の撮像オーダデータから一つを選定する。【００７０】
統合制御部１０３は、例えば、ＣＰＵが通信Ｉ／Ｆ（Ｉｎｔｅｒｆａｃｅ）により各種データを送受信する機能などに相当し、上述の選定されている一つの撮像オーダデータをＣＴスキャナ２００や制御ボックス５００から受信する取得要求に対応して返信する。【００７１】
本実施の形態のＣＴスキャナ２００は、図３に示すように、撮像実行機構である透視撮像ユニット２０１と撮像制御ユニット２１０とを有する。透視撮像ユニット２０１は、撮像被験者から透視画像データを撮像する。撮像制御ユニット２１０は、透視撮像ユニット２０１を動作制御する。【００７２】
より詳細には、撮像制御ユニット２１０は、専用のコンピュータプログラムが実装されているコンピュータ装置からなる。このコンピュータ装置がコンピュータプログラムに対応して各種処理を実行することにより、撮像制御ユニット２１０には、図２に示すように、要求送信部２１１、オーダ受信部２１２、撮像制御部２１３、データ付与部２１４、画像送信部２１５、等の各部が各種機能として論理的に実現されている。【００７３】
要求送信部２１１は、キーボードなどの入力操作に対応してＣＰＵが通信Ｉ／Ｆにより各種データを送受信する機能などに相当し、注入作業者の入力操作に対応してＲＩＳ１００に撮像オーダデータの取得要求を送信する。オーダ受信部２１２は、ＲＩＳ１００から返信される撮像オーダデータを受信する。【００７４】
撮像制御部２１３は、受信した撮像オーダデータに対応して透視撮像ユニット２０１を動作制御する。データ付与部２１４は、透視撮像ユニット２０１で撮像された透視画像データに撮像オーダデータを付与する。【００７５】
画像送信部２１５は、撮像オーダデータが付与された透視画像データをＰＡＣＳ３００に送信する。なお、上述のように生成される透視画像データは、例えば、断層画像のビットマップデータからなる。【００７６】
本実施の形態のＰＡＣＳ３００は、やはり専用のコンピュータプログラムが実装されているデータベースサーバからなる。ＰＡＣＳ３００は、ＣＴスキャナ２００から撮像オーダデータが付与された透視画像データを受信して保存する。【００７７】
本実施の形態の薬液注入装置４００は、図５に示すように、注入制御ユニット４０１と注入実行ヘッド４１０とを有する。注入制御ユニット４０１が注入実行ヘッド４１０を動作制御する。注入実行ヘッド４１０は、図６に示すように、着脱自在に装着される薬液シリンジ８００を駆動して注入薬液を撮像被験者に注入する。【００７８】
より詳細には、注入制御ユニット４０１は、図３および図５に示すように、メイン操作部４０２、タッチパネル４０３、コントローラユニット４０４、コンピュータユニット４０５、通信Ｉ／Ｆ４０６、等を有する。【００７９】
注入実行ヘッド４１０は、図６に示すように、注入実行機構の一部として薬液シリンジ８００を保持するシリンジ保持機構４１１、薬液シリンジ８００を駆動する注入実行機構であるシリンジ駆動機構４１２、シリンジ駆動機構４１２の動作指示などが入力操作されるサブ操作部４１３、各種データを表示出力するデータ表示デバイスであるヘッドディスプレイ４１５、等を有する。【００８０】
サブ操作部４１３は、後述する最終確認スイッチ４１４を有する。ヘッドディスプレイ４１５は、注入実行ヘッド４１０の後方側部に直接に固定されており、シリンジ保持機構４１１とシリンジ駆動機構４１２との近傍に配置されている。【００８１】
なお、本実施の形態の薬液シリンジ８００としては複数種類があり、その一部には所定位置にＲＦＩＤチップ８１０が搭載されている。注入実行ヘッド４１０は、シリンジ保持機構４１１で薬液シリンジ８００が適正に保持されたときのみＲＦＩＤチップ８１０と無線通信する位置にデータ入力部としてＲＦＩＤリーダ４１６が搭載されている。【００８２】
薬液シリンジ８００のＲＦＩＤチップ８１０には、少なくとも注入薬液に関連する薬液条件データが登録されている。より詳細には、薬液シリンジ８００は、注入薬液が充填された状態で出荷される、いわゆるプレフィルドタイプであり、ＲＦＩＤチップ８１０には、出荷される以前に薬液条件データが登録される。【００８３】
この薬液条件データは、例えば、充填されている注入薬液に関連する、ＣＴ用かＭＲ用かなどの作業種別からなる適正種別、造影剤かなどの注入薬液種別、プレフィルドシリンジの製品ＩＤからなる注入薬液ＩＤ、造影剤などの含有成分、造影剤などの化学分類、粘度、消費期限、などの各種データと、その薬液シリンジ８００に関連する、シリンジ容量、シリンダ耐圧、シリンダ内径、ピストンストローク、ロット番号、販売価格、などの各種データからなる。【００８４】
なお、上述の薬液条件データの注入薬液ＩＤは、その注入薬液の化学分類と含有成分と化学構造とに起因して登録されており、シリンジ容量などには関連していない。例えば、ＣＴ用で心臓用の造影剤としてＡ社とＢ社との製品が存在している場合、注入薬液の種別である「ＣＴ用で心臓用の造影剤」は共通でも、水溶性か油性か、イオン性か非イオン性か、モノマー型かダイマー型か、などの化学分類が相違するならば、その注入薬液ＩＤは相違する。【００８５】
さらに、その注入薬液種別と化学分類とが共通でも、含有成分が相違するならば注入薬液ＩＤは相違し、注入薬液種別と化学分類と含有成分とが共通でも、例えば、一つでも含有成分の化学構造が相違するならば注入薬液ＩＤは相違する。【００８６】
一方、プレフィルドタイプで容量が「２００（ｍｌ）」と「５００（ｍｌ）」との薬液シリンジに同一の注入薬液が充填されているならば、その薬液シリンジは容量により製品としては別個であるが薬液条件データの注入薬液ＩＤは同一である。【００８７】
データ提供装置の一つであるクレアチニン測定装置９２０は、薬液注入装置４００に着脱自在に接続される携帯デバイスとして形成されており、撮像被験者の血液を取得することで血清クレアチニン値を薬液注入装置４００にリアルタイムに出力する。【００８８】
データ提供装置の一つである体重身長計９３０も、薬液注入装置４００に着脱自在に接続され、撮像被験者の体重および身長を計測して薬液注入装置４００にリアルタイムに出力する。【００８９】
薬液注入装置４００のコンピュータユニット４０５には、上述の各部が接続されている。コンピュータユニット４０５は、接続されている各部を実装されているコンピュータプログラムに対応して統合制御する。【００９０】
このため、薬液注入装置４００は、図１に示すように、設定される注入制御データに対応してシリンジ駆動機構４１２を動作制御して薬液注入を実行させる注入制御部４２１、薬液注入の実行以前に撮像被験者の腎機能データを取得するデータ入力部４２２、取得された腎機能データに対応した注入制御データを生成して注入制御部４２１に設定する制御設定部４２３、等の各部を各種機能として論理的に有する。【００９１】
上述のような薬液注入装置４００の注入制御部４２１は、コンピュータユニット４０５がコンピュータプログラムに対応してシリンジ駆動機構４１２を動作制御する機能などに相当する。【００９２】
データ入力部４２２は、コンピュータユニット４０５がコンピュータプログラムに対応して通信Ｉ／Ｆ４０６によりＲＩＳ１００やＰＡＣＳ３００とデータ通信する機能などに相当する。【００９３】
制御設定部４２３は、コンピュータユニット４０５がコンピュータプログラムに対応して所定のデータ処理を実行する機能などに相当する。注入制御部４２１は、設定された注入制御データおよびコンピュータプログラムに対応してコンピュータユニット４０５がシリンジ駆動機構４１２を動作制御する機能などに相当する。【００９４】
より詳細には、薬液注入装置４００は、クレアチニン測定装置９２０から撮像被験者の血清クレアチニン値を取得するとともに、体重身長計９３０から撮像被験者の体重を取得する。【００９５】
また、薬液注入装置４００は、ＲＩＳ１００から取得する撮像オーダデータにより撮像被験者の年齢を取得する。そこで、このように腎機能データとして血清クレアチニン値と年齢と体重とをデータ入力部４２２が取得することで、制御設定部４２３は、
（１４０−年齢）×体重／７２×血清クレアチニン値
として糸球体濾過値の推定値を算出する。【００９６】
また、図６に示すように、シリンジ駆動機構４１２は、薬液条件データが記録されているＲＦＩＤチップ８１０が搭載されている薬液シリンジ８００を駆動する。このため、図１に示すように、データ入力部４２２は、ＲＦＩＤリーダ４１６によりＲＦＩＤチップ８１０から薬液条件データを取得する。【００９７】
そこで、制御設定部４２３は、薬液条件データにも対応して注入制御データを生成する。その場合、制御設定部４２３は、薬液注入の注入総量を腎機能データに対応して調整した注入制御データを生成する。【００９８】
このような注入制御データは、例えば、シリンジ駆動機構４１２の作動ストロークや作動圧力が経過時間ごとに所定コマンドなどで設定された、プロトコルデータなどからなる。【００９９】
なお、前述のように、シリンジ駆動機構４１２は、注入薬液として造影剤とともに生理食塩水も注入する。そこで、注入制御部４２１は、造影剤の注入制御データを腎機能データに対応して生成する。【０１００】
また、薬液注入装置４００は、腎機能データと薬液条件データと注入制御データとを、データ報知部であるタッチパネル４０３とヘッドディスプレイ４１５とスピーカユニット(図示せず)により、表示出力と音声出力とで報知出力する。【０１０１】
なお、本実施の形態の薬液注入装置４００は、上述の各部４２１〜４２３等を利用して注入制御データを自動設定することができるが、手動操作により注入制御データの新規設定および設定編集も実行することもできる。【０１０２】
このため、薬液注入装置４００は、図７に示すように、条件記憶部４４１、画像記憶部４４２、区分表示部４４５、区分入力部４４６、部位表示部４４７、部位入力部４４８、動作読出部４４９、身体入力部４５１、等の各部も各種機能として論理的に実現されている。【０１０３】
薬液注入装置４００の画像記憶部４４２は、人体の複数の身体区分と多数の撮像部位との模式画像を関連させて記憶している。区分表示部４４５は、画像記憶部４４２が記憶している複数の身体区分の模式画像を人体に対応した配列で表示する。【０１０４】
区分入力部４４６は、区分表示部４４５で画像表示出力された複数の身体区分から一つを選択する入力操作を、一つの注入制御データの入力操作として受け付ける。部位表示部４４７は、区分入力部４４６で選択された身体区分に対応して少なくとも一つの撮像部位の模式画像を表示出力する。部位入力部４４８は、部位表示部４４７で画像表示出力された撮像部位を選定する入力操作を、一つの注入制御データの入力操作として受け付ける。【０１０５】
より具体的には、薬液注入装置４００では、複数の身体区分として「頭部，胸部，腹部，脚部」が規定されており、これらの各々に対応した模式画像がコンピュータユニット４０５に登録されている。【０１０６】
そこで、薬液注入装置４００に所定操作を実行すると、図８に示すように、「頭部，胸部，腹部，脚部」の模式画像が人体形状に対応してタッチパネル４０３の画面上部に表示出力される。【０１０７】
また、上述の身体区分である「頭部」の模式画像には、複数の撮像部位として「脳部，顎部，首部」等の模式画像が関連されて登録されている。同様に、「胸部」の模式画像には「心臓部，肺部」、「腹部」の模式画像には「上腹部，肝臓部，…」、「脚部」の模式画像には「上部，下部」、などの模式画像が関連されて登録されている。【０１０８】
そこで、タッチパネル４０３に人体形状で表示出力された複数の身体範囲の模式画像の一つが手動操作されると、その一つの模式画像のみ上方にスキャナ機構の模式画像が表示出力され、手動操作された一つの模式画像のみが明転するとともに他の模式画像は暗転する（図示せず）。【０１０９】
同時に、その下部には関連する複数の撮像部位の模式画像が表示出力される。そこで、その表示出力された複数の撮像部位の模式画像の一つが手動操作されると、図９に示すように、その一つの模式画像のみが明転するとともに他の模式画像は暗転する。【０１１０】
条件記憶部４４１は、人体の多数の撮像部位ごとにシリンジ駆動機構４１２の動作条件データを記憶している。この動作条件データは、例えば、人体の撮像部位ごとの造影剤の注入総量などとして設定されている。【０１１１】
動作読出部４４９は、部位入力部４４８で選定された撮像部位に対応する動作条件データを条件記憶部４４１から読み出し、注入制御データの一部として注入制御部４２１に設定する。【０１１２】
身体入力部４５１は、透視画像データの撮像に関連する人体の身体事項として体重の入力操作を受け付け、その体重を注入制御データの一部として注入制御部４２１に設定する。【０１１３】
より具体的には、前述のように撮像部位が模式画像の手動操作により選定された状態で、「条件」なる操作アイコンが手動操作されると、体重や注入総量や注入時間などを入力操作できる状態となる。そこで、このような状態で体重の数値などが入力操作される。すると、図１０に示すように、これらが注入制御データの一部として表示出力されるとともに設定される。【０１１４】
また、薬液注入装置４００は、注入制御データに対応したシリンジ駆動機構４１２の動作履歴からなる注入履歴データを生成する履歴生成部４２７と、生成された注入履歴データを外部に送信して透視画像データとともに保存させるデータ出力部４２８とを、さらに有する。【０１１５】
なお、履歴生成部４２７は、注入制御データの少なくとも一部と、クレアチニン測定装置９２０から取得された血清クレアチニン値と、体重身長計９３０から取得された体重と、も注入履歴データに登録する。【０１１６】
このような注入履歴データは、例えば、横軸と縦軸との一方が経過時間で他方が注入速度の経時グラフの画像データからなり、注入制御データや撮像被験者ＩＤや注入作業ＩＤ等がテキストデータで付与される。【０１１７】
本実施の形態の制御ボックス５００は、図３に示すように、やはり専用のコンピュータプログラムが実装されているコンピュータユニット５０１、通信Ｉ／Ｆ５０２、等を有する。【０１１８】
制御ボックス５００も、コンピュータユニット５０１がコンピュータプログラムに対応して各種処理を実行する。このため、制御ボックス５００には、図２に示すように、取得仲介部５１１、履歴転送部５１４、等の各部が各種機能として論理的に実現されている。【０１１９】
取得仲介部５１１は、薬液注入装置４００から受信した取得要求に対応して、撮像オーダデータをＲＩＳ１００から取得し、取得された撮像オーダデータの一部を注入制御データの一部として薬液注入装置４００に返信する。履歴転送部５１４は、注入履歴データを薬液注入装置４００から受信してＰＡＣＳ３００に転送する。【０１２０】
このため、本実施の形態のＰＡＣＳ３００は、前述のようにＣＴスキャナ２００から受信する透視画像データを保存するだけではなく、上述のように制御ボックス５００から受信する注入履歴データも保存する。【０１２１】
そして、前述のように透視画像データには撮像オーダデータが付与されており、この撮像オーダデータの撮像作業ＩＤが注入履歴データに付与されている。このため、撮像オーダデータと注入履歴データとは撮像作業ＩＤにより関連付けられた状態でＰＡＣＳ３００に保存される。【０１２２】
本実施の形態の画像閲覧装置６００も、専用のコンピュータプログラムが実装されているコンピュータ装置からなる。画像閲覧装置６００は、図３に示すように、コンピュータユニット６０１、ディスプレイユニット６０２、コントローラユニット６０３、通信Ｉ／Ｆ６０４、等を有する。【０１２３】
画像閲覧装置６００は、コンピュータユニット６０１がコンピュータプログラムに対応して各種処理を実行することにより、図２に示すように、データ読出部６１１、データ表示部６１２、を有する。【０１２４】
データ読出部６１１は、例えば、コンピュータユニット６０１がコンピュータプログラムとコントローラユニット６０３への入力データとに対応して通信Ｉ／Ｆ６０４からＰＡＣＳ３００にアクセスする機能などに相当し、撮像作業ＩＤで関連付けられている透視画像データと注入履歴データとをＰＡＣＳ３００から読み出す。【０１２５】
データ表示部６１２は、コンピュータユニット６０１が通信Ｉ／Ｆ６０４の受信データをディスプレイユニット６０２に表示させる機能などに相当し、読み出された透視画像データと注入履歴データとを表示する。【０１２６】
なお、上述のようなＲＩＳ１００のコンピュータプログラムは、例えば、撮像作業ＩＤや撮像被験者ＩＤや個人条件データなどが設定されている撮像オーダデータを記憶すること、注入作業者の入力操作に対応して複数の撮像オーダデータから一つを選定すること、選定されている一つの撮像オーダデータをＣＴスキャナ２００や制御ボックス５００から受信する取得要求に対応して返信すること、制御ボックス５００から受信する薬液条件データをＨＩＳ９００に転送すること、等をＲＩＳ１００に実行させるためのソフトウェアとして記述されている。【０１２７】
また、ＣＴスキャナ２００のコンピュータプログラムは、例えば、注入作業者の入力操作に対応してＲＩＳ１００に撮像オーダデータの取得要求を送信すること、ＲＩＳ１００から返信される撮像オーダデータを受信すること、受信した撮像オーダデータに対応して透視撮像ユニット２０１を動作制御すること、透視撮像ユニット２０１で撮像された透視画像データに撮像オーダデータを付与すること、撮像オーダデータが付与された透視画像データをＰＡＣＳ３００に送信すること、等を撮像制御ユニット２１０に実行させるためのソフトウェアとして記述されている。【０１２８】
また、薬液注入装置４００のコンピュータプログラムは、例えば、ＲＩＳ１００で管理されている撮像作業ごとの撮像オーダデータにより撮像被験者の年齢を取得すること、クレアチニン測定装置９２０から撮像被験者の血清クレアチニン値を取得すること、体重身長計９３０から撮像被験者の体重を取得すること、取得された血清クレアチニン値と年齢と体重とから糸球体濾過値の推定値を
（１４０−年齢）×体重／７２×血清クレアチニン値
として算出すること、薬液シリンジ８００のＲＦＩＤチップ８１０からＲＦＩＤリーダ４１６で薬液条件データを取得すること、取得された薬液条件データと算出された糸球体濾過値から注入制御データを生成して設定すること、設定された注入制御データに対応してシリンジ駆動機構４１２を動作制御すること、注入制御データに対応したシリンジ駆動機構４１２の動作履歴からなる注入履歴データを生成すること、生成された注入履歴データを取得された血清クレアチニン値および体重とともにＰＡＣＳ３００に送信して透視画像データとともに保存させること、等をコンピュータユニット４０５に実行させるためのソフトウェアとして記述されている。【０１２９】
また、制御ボックス５００のコンピュータプログラムは、例えば、薬液注入装置４００の取得要求に対応してＲＩＳ１００から撮像オーダデータを取得すること、取得された撮像オーダデータの撮像被験者ＩＤ等を薬液注入装置４００に返信すること、薬液注入装置４００から注入履歴データと薬液条件データを受信すること、受信された注入履歴データをＰＡＣＳ３００に転送するとともに薬液条件データをＲＩＳ１００に転送すること、等をコンピュータユニット５０１に実行させるためのソフトウェアとして記述されている。【０１３０】
また、ＰＡＣＳ３００のコンピュータプログラムは、例えば、撮像オーダデータが付与された透視画像データをＣＴスキャナ２００から受信して保存すること、撮像オーダデータの撮像作業ＩＤ等が付与された注入履歴データを制御ボックス５００から受信して保存すること、等をＰＡＣＳ３００に実行させるためのソフトウェアとして記述されている。【０１３１】
そして、画像閲覧装置６００のコンピュータプログラムは、例えば、撮像作業ＩＤで関連付けられている透視画像データと注入履歴データ等をＰＡＣＳ３００から読み出すこと、読み出された透視画像データと注入履歴データ等を表示出力すること、等をコンピュータユニット６０１に実行させるためのソフトウェアとして記述されている。【０１３２】
上述のような構成において、本実施の形態の透視撮像システム１０００を使用して撮像被験者から透視画像データを撮像する方法を以下に順番に説明する。まず、注入作業者は事前にＲＩＳ１００に撮像オーダデータを登録しておく。【０１３３】
この撮像オーダデータは、例えば、撮像作業ＩＤ、ＣＴスキャナ２００の識別情報、撮像開始および終了の日時、撮像部位、等のテキストデータからなる。この撮像オーダデータは、通常は撮像被験者ごとの被験者電子カルテに基づいて作成される。【０１３４】
そこで、撮像オーダデータを作成する注入作業者は、ＲＩＳ１００を手動操作してＨＩＳ９００から被験者電子カルテを取得する。このため、撮像オーダデータには、撮像被験者ＩＤや氏名や体重なども登録される。【０１３５】
ただし、上述の被験者電子カルテには、個人条件データとして、撮像被験者の体重、性別、年齢、血清クレアチニン値、等が通常は登録されている。このため、この個人条件データも撮像オーダデータに登録される。【０１３６】
ただし、撮像オーダデータは、ＣＴスキャナ２００での撮像作業に必要な各種データからなる。このため、薬液注入装置４００の注入作業を特定できるデータは内包されていない。【０１３７】
このような撮像オーダデータがＲＩＳ１００に登録された状態で、撮像作業が実行されるときには、注入作業者がＲＩＳ１００を手動操作することにより、その撮像作業に対応した一つの撮像オーダデータが選定される。【０１３８】
一方、撮像作業の現場では、図４に示すように、ＣＴスキャナ２００の透視撮像ユニット２０１の近傍に薬液注入装置４００が配置される。そして、透視撮像ユニット２０１に位置する撮像被験者（図示せず）に延長チューブで薬液シリンジ８００が連結され、この薬液シリンジ８００が薬液注入装置４００の注入実行ヘッド４１０に装填される。【０１３９】
つぎに、図１９に示すように、注入作業者が注入制御ユニット４０１のメイン操作部４０２の入力操作などで薬液注入装置４００を起動させると（ステップＳ１−Ｙ）、図８に示すように、タッチパネル４０３に複数の身体区分の模式画像が人体形状に対応して表示出力される（ステップＳ２）。【０１４０】
本実施の形態の薬液注入装置４００では、注入制御データが設定されていない初期状態では、注入制御データによるシリンジ駆動機構４１２の動作制御は禁止されている。そして、薬液注入装置４００は、上述のように初期画面が表示出力された状態で、注入制御データの全部を手動設定することもでき、その一部を撮像オーダデータから自動設定することもできる。【０１４１】
手動設定する場合(ステップＳ３−Ｎ)、タッチパネル４０３に表示出力された複数の身体区分の模式画像の一つを注入作業者が手指で押圧する。すると、その選択された身体区分の模式画像のみ明転するとともに他の模式画像は暗転し、その選択された身体区分の模式画像の上方にスキャナ機構の模式画像が表示出力される。【０１４２】
同時に、その下部には選択された身体区分に関連する複数の撮像部位の模式画像が読み出されて選択画面に表示出力される。そこで、その一つを注入作業者が手指などで入力操作すると、図９に示すように、その選択された一つの模式画像のみが明転するとともに他の模式画像は暗転する。【０１４３】
上述のように撮像部位が選択されると、薬液注入装置４００では、その撮像部位に対応した動作条件データが読み出されて注入制御データとして設定される。さらに、図１０に示すように、撮像被験者の体重、注入速度、注入総量、注入時間、等が注入制御データとして注入作業者によりメイン操作部４０２に入力操作される（ステップＳ４−Ｙ）。【０１４４】
このとき、本実施の形態の薬液注入装置４００では、ＲＦＩＤリーダ４１６により薬液シリンジ８００にＲＦＩＤチップ８１０が搭載されているかも確認される（ステップＳ５−Ｙ）。【０１４５】
そこで、薬液シリンジ８００にＲＦＩＤチップ８１０が搭載されていた場合は(ステップＳ２０−Ｙ)、ＲＦＩＤリーダ４１６により薬液条件データが取得される（ステップＳ６）。この薬液条件データは、前述のように、充填されている注入薬液に関連する製品名称や消費期限などの各種データと、その薬液シリンジ８００に関連する容量やロット番号などの各種データからなる。【０１４６】
そこで、このように取得された薬液条件データの一部が、図１４に示すように、注入制御ユニット４０１のタッチパネル４０３と注入実行ヘッド４１０のヘッドディスプレイ４１５とに表示出力されるとともに（ステップＳ７）、音声出力される。【０１４７】
このとき、タッチパネル４０３およびヘッドディスプレイ４１５には、表示出力されている薬液条件データが薬液シリンジ８００のＲＦＩＤチップ８１０から取得されたことが、「ＲＦＩＤ」なる所定のロゴマークにより表示出力される。【０１４８】
従って、注入作業者は上述のように表示出力および音声出力される薬液条件データを確認して注入制御データを入力操作する（ステップＳ８−Ｙ）。このように注入制御データの設定が完了すると（ステップＳ９，Ｓ１０−Ｙ）、図１５に示すように、設定された注入制御データ等がタッチパネル４０３およびヘッドディスプレイ４１５に表示出力されて注入開始を入力操作できる状態となる。【０１４９】
そこで、この注入開始がタッチパネル４０３などで入力操作されると（ステップＳ１１−Ｙ）、設定された注入制御データに対応してシリンジ駆動機構４１２が動作制御されるので、これで撮像被験者に造影剤と生理食塩水とが適切に注入される。【０１５０】
なお、本実施の形態の透視撮像システム１０００では、上述のように注入制御データを薬液注入装置４００に手動操作で設定することの他、自動設定することもできる。より具体的には、本実施の形態の薬液注入装置４００では、図８に示すように、注入作業の初期画面の左上に取得要求の操作アイコンも表示出力される。【０１５１】
そこで、この取得要求の操作アイコンが手動操作されると（ステップＳ３−Ｙ）、図２２に示すように、取得要求が制御ボックス５００に送信される。この制御ボックス５００は、薬液注入装置４００から受信した取得要求をＲＩＳ１００に転送する。【０１５２】
すると、このＲＩＳ１００は、前述のように選定されている一つの撮像オーダデータを制御ボックス５００に返信する。この制御ボックス５００は、ＲＩＳ１００から撮像オーダデータを受信すると、その撮像オーダデータの一部を注入条件データの少なくとも一部として薬液注入装置４００に返信する。【０１５３】
より具体的には、撮像オーダデータは、前述のように、撮像作業ＩＤ、ＣＴスキャナ２００の識別情報、撮像開始および終了の日時、撮像被験者ＩＤ、身体区分または撮像部位、個人条件データ、等からなる。【０１５４】
そこで、制御ボックス５００は、取得した撮像オーダデータから、撮像作業ＩＤ、撮像被験者ＩＤ、身体区分または撮像部位、個人条件データ、等を抽出し、これを注入条件データとして薬液注入装置４００に返信する。【０１５５】
上述のような通信中には、図１１に示すように、薬液注入装置４００では通信中を示すガイダンスデータがタッチパネル４０３およびヘッドディスプレイ４１５に表示出力される。このため、利用者は薬液注入装置４００が通信中であることをリアルタイムに確認できる。【０１５６】
さらに、通信エラーなどのために注入条件データが取得できないと、図１２に示すように、データ取得の失敗を示すガイダンスデータがタッチパネル４０３およびヘッドディスプレイ４１５に表示出力される。このため、利用者はデータ取得の失敗を迅速に認識して再試行などを実行することができる。【０１５７】
薬液注入装置４００では、取得要求に対応して制御ボックス５００から取得された注入条件データが（ステップＳ１２）、タッチパネル４０３およびヘッドディスプレイ４１５に表示出力されるとともに（ステップＳ１３）、音声出力される。【０１５８】
このとき、撮像被験者の氏名や性別なども注入条件データとして表示出力および音声出力されるので、これで注入作業者は注入条件データと実際の撮像被験者との整合を確認する。【０１５９】
また、タッチパネル４０３およびヘッドディスプレイ４１５には、上述のように表示出力される注入条件データとともに、その注入条件データから注入制御データを生成するかしないかの設定指示の操作アイコンも表示出力される。【０１６０】
そこで、注入作業者が確認した注入条件データから注入制御データを生成する場合には、「使用する」の操作アイコンを入力操作する。すると、これを検知した薬液注入装置４００では（ステップＳ１４−Ｙ）、注入条件データに血清クレアチニン値と体重とが設定されているかが判定される(ステップＳ１５，Ｓ１８)。【０１６１】
前述のように血清クレアチニン値や体重は電子カルテに通常は登録されているので、注入条件データとして取得される撮像オーダデータにも設定されている。その場合、タッチパネル４０３およびヘッドディスプレイ４１５には注入条件データとして取得された血清クレアチニン値や体重なども表示出力および音声出力される。【０１６２】
しかし、緊急処置などの理由で撮像オーダデータに血清クレアチニン値や体重が設定されていないこともある(ステップＳ１５−Ｎ，Ｓ１８−Ｎ)。その場合、タッチパネル４０３およびヘッドディスプレイ４１５には「撮像オーダデータに血清クレアチニン値が設定されていませんでした。血清クレアチニン値を入力してください」「撮像オーダデータに体重が設定されていませんでした。体重を入力してください」等の警告ガイダンス(図示せず)が表示出力および音声出力される(ステップＳ１６，Ｓ１９)。【０１６３】
そこで、これを確認した注入作業者は、例えば、手動操作により血清クレアチニン値や体重を数値入力する(図示せず)。ただし、本実施の形態の薬液注入装置４００では、クレアチニン測定装置９２０や体重身長計９３０を利用して撮像被験者から血清クレアチニン値や体重を即座に測定して薬液注入装置４００に入力することもできる。【０１６４】
その場合、例えば、注入作業者がクレアチニン測定装置９２０で撮像被験者の血液から血清クレアチニン値を測定し、その血清クレアチニン値を有線接続した薬液注入装置４００に転送する。同様に、注入作業者が体重身長計９３０で撮像被験者の体重を測定し、その体重を有線接続した薬液注入装置４００に転送する。【０１６５】
このように血清クレアチニン値と体重とが入力された薬液注入装置４００は(ステップＳ１７−Ｙ，Ｓ２０−Ｙ)、図２０に示すように、ＲＦＩＤリーダ４１６により薬液シリンジ８００にＲＦＩＤチップ８１０が搭載されているかも確認する（ステップＳ２１）。【０１６６】
そこで、薬液シリンジ８００にＲＦＩＤチップ８１０が搭載されていた場合は(ステップＳ２１−Ｙ)、ＲＦＩＤリーダ４１６により薬液条件データが取得される（ステップＳ２２）。この薬液条件データは、前述のように、充填されている注入薬液に関連する各種データと、その薬液シリンジ８００に関連する各種データからなる。【０１６７】
ただし、その注入薬液関連データとしては、ＣＴ用かＭＲ用かなどの作業種別からなる適正種別、造影剤かなどの注入薬液種別、プレフィルドシリンジの製品ＩＤからなる注入薬液ＩＤ、造影剤などの含有成分、造影剤などの化学分類、等が内包されている。【０１６８】
そこで、このように取得された薬液条件データの一部が、図１４に示すように、注入制御ユニット４０１のタッチパネル４０３と注入実行ヘッド４１０のヘッドディスプレイ４１５とに表示出力されるとともに（ステップＳ２３）、音声出力される。【０１６９】
このとき、タッチパネル４０３およびヘッドディスプレイ４１５には、表示出力されている薬液条件データが薬液シリンジ８００のＲＦＩＤチップ８１０から取得されたことが、「ＲＦＩＤ」なる所定のロゴマークにより表示出力される。【０１７０】
さらに、上述のようにタッチパネル４０３およびヘッドディスプレイ４１５に薬液条件データが表示出力されるとき、この薬液条件データを注入制御データとして使用するか使用しないかの設定指示の操作アイコンも表示出力される。【０１７１】
そこで、注入作業者が確認した薬液条件データを注入制御データとして使用する場合には、「使用する」の操作アイコンを入力操作する。すると、これを検知した薬液注入装置４００は（ステップＳ２４）、撮像オーダデータから取得された注入条件データ、クレアチニン測定装置９２０から取得された血清クレアチニン値、体重身長計９３０から取得された体重、薬液シリンジ８００から取得された薬液条件データ、により注入制御データが生成されて設定される（ステップＳ２５）。【０１７２】
このとき、薬液注入装置４００は、取得された血清クレアチニン値と年齢と体重とから糸球体濾過値の推定値を
（１４０−年齢）×体重／７２×血清クレアチニン値
として算出する。【０１７３】
このように糸球体濾過値が算出されると、図１３に示すように、タッチパネル４０３およびヘッドディスプレイ４１５には、撮像オーダデータから取得された個人条件データなどの注入条件データとともに、取得された血清クレアチニン値、取得された体重、算出された糸球体濾過値の推定値、等が表示出力および音声出力される。【０１７４】
上述のように糸球体濾過値の推定値を算出した薬液注入装置４００は、薬液条件データとして造影剤の薬液シリンジ８００の容量とヨード濃度も取得することにより、糸球体濾過値に対応したヨード総量となるように注入総量を算出する。【０１７５】
なお、薬液シリンジ８００にＲＦＩＤチップ８１０が搭載されていない場合は、図２０に示すように、当然ながらＲＦＩＤリーダ４１６により検知されないので（ステップＳ２１−Ｎ）、前述のように注入条件データと血清クレアチニン値と体重から注入制御データが生成されて設定される（ステップＳ２５）。【０１７６】
このように注入制御データの設定が完了すると、図１５に示すように、設定された注入制御データ等がタッチパネル４０３およびヘッドディスプレイ４１５に表示出力される。【０１７７】
また、本実施の形態の薬液注入装置４００では、前述のように注入条件データから注入制御データを設定することなく手動設定するときにも（ステップＳ４〜Ｓ１１）、上述のように薬液シリンジ８００のＲＦＩＤチップ８１０から薬液条件データを取得して注入制御データとして設定することは有効となっている（ステップＳ５〜Ｓ８）。【０１７８】
上述のように薬液条件データの表示出力および音声出力される一部は、注入作業者が確認することが有用な製品名称や消費期限などからなる。また、注入制御データの生成に利用される薬液条件データの一部は、当然ながら、注入制御データとして有用な容量や耐圧などからなる。【０１７９】
ただし、本実施の形態の薬液注入装置４００は、上述のように撮像オーダデータから注入条件データが取得されて注入制御データの設定が完了した場合（ステップＳ１２〜Ｓ２８）、この状態では薬液注入を開始できる状態とならない。【０１８０】
そこで、注入作業者は、上述のように注入制御データの設定が完了すると（ステップＳ２８−Ｙ）、延長チューブに気泡が混入していないかなどの最終確認を実行し、この最終確認が完了すると注入実行ヘッド４１０の最終確認スイッチ４１４を入力操作する。【０１８１】
すると、これを検知した薬液注入装置４００は（ステップＳ２９−Ｙ）、最終確認が実行されたものとして薬液注入の動作ロックを解除する（ステップＳ３０）。ただし、本実施の形態の薬液注入装置４００では、このように最終確認が実行されて動作ロックが解除されても、それだけでは薬液注入は実行できない。【０１８２】
つまり、薬液注入装置４００は、図２２に示すように、上述のように最終確認スイッチ４１４が入力操作されると（ステップＳ２９−Ｙ）、最初のときと同様に制御ボックス５００にＲＩＳ１００から撮像オーダデータを再度取得させ、その一部を注入条件データとして制御ボックス５００から再度取得する（ステップＳ３１）。【０１８３】
そして、注入制御データとして設定されている注入条件データと、再度取得された注入条件データと、が比較される（ステップＳ３２）。これで注入条件データが一致しないと（ステップＳ３２−Ｎ）、図１６に示すように、「注意  前回取得した、患者情報と異なっています」などの確認警告のエラーガイダンスがタッチパネル４０３およびヘッドディスプレイ４１５に表示出力されるとともに（ステップＳ３３）、音声出力される。【０１８４】
この場合、例えば、確認完了がタッチパネル４０３およびヘッドディスプレイ４１５に入力操作されると初期状態に復帰する（ステップＳ３）。このため、撮像オーダデータが変更されている状態で注入動作が開始されることがない。【０１８５】
一方、注入制御データとして設定されている注入条件データと、再度取得された注入条件データとの一致が確認されると（ステップＳ３２−Ｙ）、タッチパネル４０３およびヘッドディスプレイ４１５により注入開始を入力操作できる状態となる。【０１８６】
そこで、この注入開始が入力操作されると（ステップＳ３４−Ｙ）、設定された注入制御データに対応してシリンジ駆動機構４１２が動作制御されるので、図２１に示すように、これで撮像被験者に注入薬液として造影剤と生理食塩水とが適切に注入される（ステップＳ３５）。【０１８７】
このとき、リアルタイムに経過時間が計測されるとともに、実際の注入速度も検出されるので、その注入速度が注入制御データに適合するようにシリンジ駆動機構４１２の動作がフィードバック制御される。【０１８８】
さらに、実際の注入速度からなる経時グラフがリアルタイムに生成され（ステップＳ３６）、例えば、注入制御データとともにタッチパネル４０３およびヘッドディスプレイ４１５に表示出力される（ステップＳ３７）。【０１８９】
前述のように、注入条件データが取得されることなく注入制御データが手動設定された場合は、図１７に示すように、経時グラフは手動設定された注入制御データとともに表示出力される。【０１９０】
一方、注入条件データや薬液条件データが取得されて注入制御データが自動設定された場合は、図１８に示すように、経時グラフは自動設定された注入制御データおよび注入条件データや薬液条件データなどとともに表示出力される。さらに、この場合は、注入条件データから取得された撮像開始時刻も、経時グラフに所定のシンボルマークで表示出力される。【０１９１】
そして、上述のように自動動作や手動操作で注入作業が完了すると（ステップ３８−Ｙ）、実際の注入速度の経時グラフを内包する注入履歴データが生成される（ステップＳ３９）。【０１９２】
このように生成される注入履歴データは、注入条件データが取得されることなく注入制御データが手動設定された場合は、例えば、経時グラフの画像データ、撮像オーダデータから取得された被験者ＩＤなどのテキストデータ、クレアチニン測定装置９２０から取得された血清クレアチニン値のテキストデータ、体重身長計９３０から取得された体重のテキストデータ、等からなる。【０１９３】
なお、上述のような注入履歴データには、例えば、注入作業ごとに固有の識別情報である注入作業ＩＤ、実際の注入開始および終了の日時、薬液注入装置４００の識別情報、注入制御データ、その注入制御データの全部が手動入力されたか一部が撮像オーダデータから取得されたか一部が薬液条件データから取得されたかの情報、撮像オーダデータから取得された場合は第一回目と第二回目との取得日時、取得された注入条件データや薬液条件データ、等のテキストデータも設定される。【０１９４】
さらに、薬液シリンジ８００のＲＦＩＤチップ８１０から薬液条件データが取得された場合には、その薬液条件データの一部も注入履歴データにテキストデータなどで設定される。【０１９５】
このようなテキストデータは、例えば、薬液条件データがＲＦＩＤチップ８１０から取得されたか手動入力されたかの情報、注入薬液の製品名称、注入薬液ＩＤ、化学分類、含有成分、消費期限、シリンダ耐圧、ロット番号、販売価格、などからなる。【０１９６】
そして、薬液注入装置４００は、注入作業が完了すると、少なくとも注入作業ＩＤが付与されていて完了を通知する完了通知データも生成する（ステップＳ４０）。そこで、注入作業を完了した薬液注入装置４００は、完了通知データと注入履歴データとを制御ボックス５００に送信する（ステップＳ４１）。【０１９７】
すると、この制御ボックス５００は、薬液注入装置４００から受信した完了通知データをＲＩＳ１００に転送する。このＲＩＳ１００は、受信した完了通知データを注入作業ＩＤにより撮像オーダデータに関連させた状態で保存する。【０１９８】
また、制御ボックス５００は、薬液注入装置４００から受信した注入履歴データをＰＡＣＳ３００に転送する。このＰＡＣＳ３００は、受信した注入履歴データを撮像作業ＩＤで管理する状態で保存する。【０１９９】
通常の作業では、前述のように薬液注入装置４００による注入作業が完了する前後に、ＣＴスキャナ２００による撮像作業が開始される。その場合、注入作業者によりＣＴスキャナ２００の撮像制御ユニット２１０に撮像開始が入力操作される。【０２００】
すると、ＣＴスキャナ２００の撮像制御ユニット２１０は、ＲＩＳ１００に撮像オーダデータの取得要求を送信する。すると、このＲＩＳ１００は、前述のように選定されている一つの撮像オーダデータがＣＴスキャナ２００に返信される。【０２０１】
そこで、このＣＴスキャナ２００では、撮像制御ユニット２１０が受信した撮像オーダデータに対応して透視撮像ユニット２０１が動作制御されることにより、透視画像データの撮像作業が実行される。【０２０２】
これで透視撮像ユニット２０１により撮像被験者から透視画像データが撮像されると、撮像制御ユニット２１０では、透視画像データに撮像オーダデータが付与される。つぎに、撮像制御ユニット２１０では、撮像オーダデータが付与された透視画像データがＰＡＣＳ３００に送信される。【０２０３】
このＰＡＣＳ３００は、受信した透視画像データを撮像オーダデータの撮像作業ＩＤで管理する状態で保存する。そして、注入作業者が透視画像データを閲覧するときは、例えば、画像閲覧装置６００の手動操作によりＰＡＣＳ３００から透視画像データを読み出す。【０２０４】
その場合、例えば、撮像作業ＩＤが検索キーとして入力操作されることにより、その撮像作業ＩＤの透視画像データがＰＡＣＳ３００から読み出されて画像閲覧装置６００のディスプレイユニット６０２に表示出力される。【０２０５】
このとき、その撮像作業ＩＤにより注入履歴データもＰＡＣＳ３００から読み出されるので、必要により画像閲覧装置６００のディスプレイユニット６０２に表示出力される。【０２０６】
このように表示出力される注入履歴データにより、その注入作業の注入条件データが手動入力されたか撮像オーダデータから取得されたか、血清クレアチニン値が撮像オーダデータから取得されたかクレアチニン測定装置９２０から取得されたか手動入力されたか、体重が撮像オーダデータから取得されたか体重身長計９３０から取得されたか手動入力されたか、薬液条件データが薬液シリンジ８００から取得されたか手動入力されたか、等も確認される。【０２０７】
本実施の形態の薬液注入装置４００では、上述のように設定される注入制御データに対応して注入制御部４２１によりシリンジ駆動機構４１２が動作制御されることで、このシリンジ駆動機構４１２に装填された薬液シリンジ８００が駆動されて撮像被験者に注入薬液の注入が実行される。【０２０８】
本実施の形態の薬液注入装置４００では、上述のように注入制御部４２１が設定される注入制御データに対応してシリンジ駆動機構４１２を動作制御して薬液注入を実行させる。【０２０９】
ただし、この薬液注入の実行以前に撮像被験者の腎機能データをデータ入力部４２２が取得し、取得された腎機能データに対応した注入制御データを制御設定部４２３が生成して注入制御部４２１に設定する。【０２１０】
このため、撮像被験者の腎機能に対応して薬液注入を最良に動作制御することができる。従って、腎機能不良の撮像被験者への造影剤などの薬液注入が、腎機能良好な撮像被験者への薬液注入と同様に実行されることなどを、簡単かつ確実に防止することができる。【０２１１】
しかも、本実施の形態の薬液注入装置４００は、取得された血清クレアチニン値と年齢と体重とから糸球体濾過値の推定値を
（１４０−年齢）×体重／７２×血清クレアチニン値
として算出する。【０２１２】
さらに、薬液注入装置４００は、薬液条件データとして造影剤の薬液シリンジ８００の容量とヨード濃度も取得することにより、糸球体濾過値に対応したヨード総量となるように注入総量を算出して注入制御データを生成する。このため、撮像被験者に適切な注入制御データを簡単かつ確実に設定することができる。【０２１３】
特に、本実施の形態の薬液注入装置４００は、血清クレアチニン値が撮像オーダデータに設定されていない場合にはクレアチニン測定装置９２０から取得することができる。同様に、体重が撮像オーダデータに設定されていない場合には体重身長計９３０から取得することができる。このため、薬液注入装置４００は、最新の適切な血清クレアチニン値や体重を撮像被験者から即座に簡単に取得することができる。【０２１４】
なお、撮像被験者ＩＤ等からなる注入条件データの取得は、「ｉ」なるロゴと人体の模式画像による専用のアイコンにより入力操作される。このため、注入作業者は注入条件データの取得操作を直感的に実行することができる。【０２１５】
さらに、本実施の形態の透視撮像システム１０００では、薬液シリンジ８００のＲＦＩＤチップ８１０に薬液条件データが記録されており、薬液注入装置４００は、ＲＦＩＤリーダ４１６でＲＦＩＤチップ８１０から薬液条件データを取得する。このため、薬液注入装置４００は、薬液シリンジ８００から大容量の薬液条件データを簡単かつ確実に取得することができる。【０２１６】
特に、薬液注入装置４００は、薬液シリンジ８００が適正に装填されないと薬液条件データを取得しない。このため、薬液シリンジ８００が適正に装填されていない状態で薬液注入が実行されることを防止できる。【０２１７】
さらに、本実施の形態の薬液注入装置４００は、薬液注入の注入総量を腎機能データに対応して調整した注入制御データを生成する。このため、撮像被験者に注入されるヨード総量を適切に規制することができ、造影剤による副作用などを的確に防止することができる。【０２１８】
また、ＲＦＩＤチップ８１０から取得された薬液条件データは、「ＲＦＩＤ」なる所定のロゴマークとともに表示出力される。このため、表示出力された薬液条件データがＲＦＩＤチップ８１０から取得されたことを、注入作業者は直感的に確認することができる。【０２１９】
特に、上述のような表示出力は、薬液注入装置４００の注入制御ユニット４０１のタッチパネル４０３だけではなく注入実行ヘッド４１０のヘッドディスプレイ４１５にも表示出力される。このため、注入作業者は注入実行ヘッド４１０の位置で作業しながらでも注入条件データや薬液条件データを確認することができる。【０２２０】
しかも、本実施の形態の薬液注入装置４００は、腎機能データや薬液条件データや注入制御データなどを表示出力とともに音声出力する。このため、多忙な注入作業者に確実に各種データを確認させることができる。【０２２１】
さらに、本実施の形態の薬液注入装置４００は、注入直前の最終確認が入力操作されるとＲＩＳ１００から撮像オーダデータの一部として注入条件データを再度取得し、事前取得された注入条件データと再度取得された注入条件データとの一致を確認する。【０２２２】
その一致が確認されるまで注入制御データによる薬液注入を実行しないので、適正でない注入制御データで注入動作が実行されることを簡単かつ確実に防止することができる。【０２２３】
例えば、撮像スケジュールが急遽変更となって撮像オーダデータが修正されたり消去されたような場合、最初の撮像オーダデータに対応して注入動作が開始されることがない。【０２２４】
さらに、撮像オーダデータが一致しないことが薬液注入装置４００により注入作業者に報知出力されるので、注入作業者は撮像オーダデータの変更を確実に認識して確認することができる。【０２２５】
しかし、注入制御データの全部が手動入力されたときは、注入制御データの設定が完了すれば注入動作を開始することができる。このため、注入動作の禁止と解禁とを簡単な条件で適切に制御することができる。【０２２６】
また、薬液注入装置４００を利用した一般的な注入作業では、上述のように注入実行ヘッド４１０から離間した注入制御ユニット４０１で注入制御データを設定するが、この設定が完了すると注入実行ヘッド４１０の位置で薬液シリンジ８００や撮像被験者の状態などを最終確認することになる。【０２２７】
そして、本実施の形態の薬液注入装置４００では、上述のように注入直前に撮像オーダデータを再度取得して一致を確認するための最終確認スイッチ４１４が注入実行ヘッド４１０に配置されている。【０２２８】
このため、従来から必須の注入実行ヘッド４１０の位置での最終確認のときに、撮像オーダデータの再度取得と一致確認とを入力操作できる。特に、この薬液注入装置４００は、最終確認が実行されて最終確認スイッチ４１４が入力操作されないと薬液注入の動作ロックが解除されない。【０２２９】
このため、一個の最終確認スイッチ４１４を入力操作するだけで、最終確認の完了入力による注入動作のロック解除と、撮像オーダデータの再確認とを、ともに実行することができる。【０２３０】
さらに、薬液注入装置４００では、注入制御データに基づいて注入動作が実行されるとき、経時グラフがリアルタイムに表示出力される。このため、注入作業者は注入状態をリアルタイムに確認することができる。【０２３１】
特に、ＰＡＣＳ３００から取得された撮像オーダデータで注入制御データが生成された場合、その各種の設定内容が経時グラフとともに表示出力される。このため、注入作業者は注入制御データに利用された撮像オーダデータの設定内容を常時確認することができる。【０２３２】
さらに、本実施の形態の薬液注入装置４００では、ＲＩＳ１００から撮像オーダデータが取得された場合は、その撮像オーダデータに基づいて経時グラフに撮像開始時刻が表示出力される。【０２３３】
このため、注入作業者は注入状況と撮像開始時刻との関係をリアルタイムに確認することができる。特に、その撮像開始時刻は専用のロゴマークにより表示出力されるので、注入作業者は直感的に確認することができる。【０２３４】
さらに、本実施の形態の薬液注入装置４００は、注入制御データに対応したシリンジ駆動機構４１２の動作履歴からなる注入履歴データを生成し、生成された注入履歴データをＰＡＣＳ３００に送信して透視画像データとともに保存させる。【０２３５】
特に、本実施の形態の薬液注入装置４００は、腎機能データや注入制御データや薬液条件データも注入履歴データに登録する。このため、注入履歴データを確認するときに、腎機能データや注入制御データや薬液条件データも確認することができる。従って、透視画像データを閲覧する注入作業者が、腎機能不良の撮像被験者に薬液注入が不適に実行されなかったなどを簡単かつ確実に確認することができる。【０２３６】
しかも、上述のように透視画像データと注入履歴データとは撮像作業ＩＤで関連されるが、その撮像作業ＩＤは、注入制御データを自動設定するときに撮像オーダデータとして薬液注入装置４００に取得される。【０２３７】
つまり、ＲＩＳ１００から制御ボックス５００を経由して薬液注入装置４００に取得される撮像オーダデータを、注入制御データの設定と注入履歴データの生成との両方に利用することができる。【０２３８】
しかも、本実施の形態の透視撮像システム１０００の各種装置１００〜６００，９００はＤＩＣＯＭの規約で各種データを相互通信する。ＤＩＣＯＭの通信データは改竄が困難なので、注入履歴データと注入制御データと薬液条件データとの証拠能力が高い。【０２３９】
しかも、注入作業の完了通知データが薬液注入装置４００から制御ボックス５００を経由してＲＩＳ１００に保存される。このＲＩＳ１００では、完了通知データが撮像オーダデータと関連されて管理されるので、例えば、ＲＩＳ１００からＣＴスキャナ２００に撮像オーダデータとともに薬液注入の開始時刻や終了時刻などを通知することもできる。【０２４０】
この場合、ＣＴスキャナ２００を操作する注入作業者が薬液注入の開始時刻や終了時刻を参照することができるので、その時刻に対応して画像撮像の開始時刻を調整するようなことができる。【０２４１】
なお、本発明は上記形態に限定されるものではなく、その要旨を逸脱しない範囲で各種の変形を許容する。例えば、上記形態では薬液注入装置４００が、血清クレアチニン値と年齢と体重とが設定されている個人条件データを取得し、糸球体濾過値の推定値を
（１４０−年齢）×体重／７２×血清クレアチニン値
として算出することを例示した。【０２４２】
しかし、薬液注入装置４００が、血清クレアチニン値と年齢と体重と性別が設定されている個人条件データを取得し、性別が男性の糸球体濾過値の推定値を
（１４０−年齢）×体重／７２×血清クレアチニン値
として算出し、性別が女性の糸球体濾過値の推定値を
（１４０−年齢）×体重／７２×血清クレアチニン値×０．８５
として算出してもよい。【０２４３】
また、薬液注入装置４００が、腎機能データとして血清クレアチニン値と年齢と性別とを取得し、取得された血清クレアチニン値と年齢と性別とで糸球体濾過値の推定値を算出してもよい。【０２４４】
その場合、性別が男性の糸球体濾過値の推定値を
１９４×血清クレアチニン値の冪乗−１．０９４×年齢−０．２８７
として算出し、性別が女性の糸球体濾過値の推定値を
(１９４×血清クレアチニン値の冪乗−１．０９４×年齢−０．２８７)×０．７３９
として算出してもよい。【０２４５】
一方、性別が男性の糸球体濾過値の推定値を
１７５×血清クレアチニン値−１．１５４×年齢−０．２０３×０．７４１
として算出し、性別が女性の糸球体濾過値の推定値を
１７５×血清クレアチニン値−１．１５４×年齢−０．２０３×０．７４２
として算出してもよい。【０２４６】
ただし、糸球体濾過値の推定値の算出方法としては各種があり、何れも薬液注入装置４００に利用することができる。同様に、腎機能データとしても、薬液注入装置４００に利用できる各種データがある。【０２４７】
例えば、２４時間内因性クレアチニンクリアランス(Ｃｃｒ)や、ＤｕＢｏｉｓのＢＳＡなどを、腎機能データとして薬液注入装置４００で利用してもよい。また、被験者が小児の場合に、薬液注入装置４００がＳｃｈｗａｒｔｚ式で糸球体濾過値の推定値を算出してもよい。【０２４８】
また、薬液注入装置４００が、血清クレアチニン値と年齢から糸球体濾過値の推定値を特定する一覧表やノモグラフをデータ記憶しており、その一覧表やノモグラフで血清クレアチニン値と年齢から糸球体濾過値の推定値を特定してもよい。その場合、一覧表やノモグラフを性別ごとにデータ記憶していてもよい。【０２４９】
なお、上述のように算出や特定した糸球体濾過値の推定値が、４０〜６０などの所定数値より少数のときに、警告ガイダンスを音声や表示で出力したり、注入動作を規制したり、してもよい。【０２５０】
また、上記形態では薬液注入装置４００が体重や年齢に対応して注入制御データを生成することを例示した。しかし、薬液注入装置４００が体表面積も取得し、制御設定部４２３は、取得された体表面積で糸球体濾過値の推定値を補正してもよい。【０２５１】
さらに、薬液注入装置４００が腎機能データとして身長も取得し、取得された身長と体重とで体表面積を算出してもよい。この場合、当然ながら薬液注入装置４００は体重ではなく体表面積から糸球体濾過値を算出することになる。なお、身長と体重とは体重身長計９３０から一度に取得することができる。【０２５２】
また、上記形態では薬液注入装置４００が薬液注入の注入総量を腎機能データに対応して調整した注入制御データを生成することを例示した。しかし、注入総量と注入時間と注入速度との一つないし全部を腎機能データに対応して調整した注入制御データを生成してもよい。つまり、撮像被験者の腎機能に対応して注入総量を削減するだけでなく、注入速度を低下させたり、注入時間を短縮したり、すればよい。【０２５３】
さらに、上記形態では薬液注入装置４００が注入薬液として造影剤とともに生理食塩水も注入し、造影剤の注入制御データを腎機能データに対応して生成することを想定した。【０２５４】
しかし、造影剤と生理食塩水との両方の注入制御データを腎機能データに対応して生成してもよい。その場合、例えば、造影剤と生理食塩水との注入割合を腎機能データに対応して調整した注入制御データを生成してもよい。【０２５５】
また、薬液注入装置４００が、薬液注入の注入速度を経時変化させる注入変化パターンを腎機能データに対応して調整した注入制御データを所定のアルゴリズムにより生成してもよい。【０２５６】
さらに、上記形態では薬液注入装置４００が取得した血清クレアチニン値から糸球体濾過値を算出して注入制御データを生成することを例示した。しかし、取得した血清クレアチニン値や算出した糸球体濾過値が所定の許容範囲を逸脱していると腎機能不良を判定してもよい。この場合、許容範囲は撮像被験者ごとに設定されていてもよく、共通データとして選定されていてもよい。【０２５７】
また、撮像被験者ごとの電子カルテや撮像オーダデータに注入薬液ごとの副作用の履歴が登録されており、図２３に示すように、薬液条件データとの整合が確認されると警告ガイダンスが出力されてもよい。この場合、より簡単かつ確実に副作用の有無を確認することができる。【０２５８】
また、上記形態では血清クレアチニン値および体重を注入履歴データとともに薬液注入装置４００がＰＡＣＳ３００に保存させることを例示した。しかし、このような薬液注入装置４００が、血清クレアチニン値および体重をＲＩＳ１００やＨＩＳ９００に返信して撮像オーダデータや被験者電子カルテとともに保存させてもよい。【０２５９】
さらに、上記形態では薬液シリンジ８００にＲＦＩＤチップ８１０で薬液条件データが記録されており、その薬液条件データを薬液注入装置４００がＲＦＩＤリーダ４１６で取得することを例示した。【０２６０】
しかし、薬液条件データが磁気ストライプや二次元コードやバーコードで薬液シリンジに記録されており、このような薬液条件データを薬液注入装置が磁気ヘッドや二次元スキャナやラインスキャナで取得してもよい（図示せず）。【０２６１】
また、上記形態では薬液シリンジ８００に記録されている薬液条件データに各種データが内包されていることを例示した。しかし、薬液シリンジに記録されている薬液条件データが注入薬液ＩＤのみでもよい。【０２６２】
この場合、例えば、前述のような薬液条件データの各種データが注入薬液ＩＤとともにＨＩＳ９００やＲＩＳ１００やＰＡＣＳ３００などのデータベースに記録されており、その薬液条件データの各種データが注入薬液ＩＤで検索されて薬液注入装置に取得されればよい（図示せず）。【０２６３】
さらに、上記形態では薬液シリンジ８００がプレフィルドシリンジからなり、その薬液条件データがシリンジメーカで記録されていることを想定した。しかし、薬液シリンジがリフィルシリンジからなり、充填される注入薬液に対応して医療現場で薬液条件データが記録されてもよい。【０２６４】
また、上記形態では薬液注入装置４００がＲＩＳ１００から取得する撮像オーダデータと薬液シリンジ８００から取得する薬液条件データとに基づいて注入制御データを自動的に設定することを例示した。【０２６５】
しかし、このような注入制御データが注入履歴データや撮像被験者ＩＤなどとともにＰＡＣＳ３００等に登録され、その注入制御データがＰＡＣＳ３００等から薬液注入装置４００に撮像被験者ＩＤ等により取得されて注入作業に利用されてもよい。【０２６６】
この場合、同一の撮像被験者で過去に撮像作業を実行していた場合は、その過去の注入制御データを再度利用することができる。このため、複雑な注入動作を注入制御データで設定した場合でも、その注入動作を簡単に再現することができる。【０２６７】
さらに、薬液注入装置４００で注入作業とともに生成された注入履歴データが撮像被験者ＩＤ等とともにＰＡＣＳ３００に登録され、その注入履歴データがＰＡＣＳ３００から薬液注入装置４００に撮像被験者ＩＤ等により取得され、注入制御データとして注入作業に利用されてもよい。【０２６８】
この場合、薬液注入装置４００で注入履歴データから注入制御データを生成する作業が必要となるが、ＰＡＣＳ３００に注入履歴データを登録しておけば注入制御データの登録を無用とすることができる。【０２６９】
また、このようにＰＡＣＳ３００から薬液注入装置４００に取得された過去の注入制御データが新規の注入条件データに対応して自動調整されてもよい。このような注入条件データとしては、撮像被験者の体重、注入薬液の成分濃度、注入薬液の含有成分、等を利用することができる。【０２７０】
例えば、ＰＡＣＳ３００から薬液注入装置４００に取得された過去の注入制御データに付与されている撮像被験者の体重が５０ｋｇで、薬液注入装置４００に入力されている現在の体重が６０ｋｇならば、その注入制御データの注入速度や注入総量を１．２（＝６０／５０）倍にする、等の処理動作が好適である。【０２７１】
同様に過去の注入制御データに付与されている注入薬液の成分濃度が１０％で、薬液注入装置４００に薬液条件データとして取得されている現在の成分濃度が２０％ならば、その注入制御データの注入速度や注入総量を０．５（＝１０／２０）倍にする、等の処理動作が好適である。【０２７２】
さらに、上記形態ではＲＩＳ１００に登録されている撮像オーダデータから撮像被験者ＩＤや撮像部位などが薬液注入装置４００に取得されることにより、注入作業者が薬液注入装置４００に撮像被験者ＩＤ等を入力操作する必要がなく、その誤入力にも防止できることを例示した。しかし、上述の撮像被験者ＩＤや撮像部位などの一部ないし全部が薬液注入装置４００に入力操作されてもよい。【０２７３】
また、透視撮像システム１０００が、少なくとも撮像被験者ＩＤ等が記録されているＲＦＩＤチップが搭載されている撮像被験者ごとの被験者管理媒体（図示せず）を有し、薬液注入装置４００が、被験者管理媒体のＲＦＩＤチップから撮像被験者ＩＤ等を取得してもよい。【０２７４】
上述のような被験者管理媒体は、例えば、ＲＦＩＤチップが搭載されているカルテファイル、撮像被験者の腕部に装着される管理腕章、等として実現することができる（図示せず）。この場合、やはり注入作業者による撮像被験者ＩＤ等の入力操作を無用とすることができ、その誤入力も防止することができる。【０２７５】
さらに、このような被験者管理媒体のＲＦＩＤチップにや血清クレアチニン値や体重や副作用履歴等の個人条件データも登録しておき、これを薬液注入装置４００に取得させて注入制御データの自動設定や腎機能不良の判定に利用させてもよい。【０２７６】
また、上記形態ではＲＩＳ１００の撮像オーダデータの注入条件データを薬液注入装置４００が注入直前にも取得して確認することにより、撮像オーダデータの変更などに対処できることを例示した。【０２７７】
しかし、薬液注入装置４００が、ＲＩＳ１００の撮像オーダデータから取得した撮像被験者ＩＤと、被験者管理媒体のＲＦＩＤチップから取得した撮像被験者ＩＤと、の一致も確認し、その一致が確認されるまでシリンジ駆動機構４１２の動作制御を禁止してもよく、一致が確認されないと所定の確認警告を報知出力してもよい。【０２７８】
さらに、上記形態では薬液注入装置４００が薬液シリンジ８００から取得した薬液条件データを、注入制御データの設定に利用することのみ例示した。しかし、上述のように薬液注入装置４００が薬液シリンジ８００から取得した薬液条件データをＨＩＳ９００に送信してもよい。【０２７９】
このＨＩＳ９００は、一般的に撮像作業ごとに会計処理を実行する。そこで、ＨＩＳ９００は、実際に撮像被験者に注入された注入薬液の薬液条件データを取得できれば、上述の会計処理を簡単かつ迅速に実行することができる。【０２８０】
この場合、薬液注入装置４００は、例えば、作業ミスなどにより複数の薬液シリンジ８００が消費されたときに、その複数の薬液シリンジ８００の薬液条件データをＨＩＳ９００に通達することができる。【０２８１】
このような透視撮像システムでは(図示せず)、撮像オーダデータには薬液シリンジ８００が一本等と登録されていても、実際に消費された薬液シリンジ８００の本数で会計処理を実行するようなことができる。【０２８２】
さらに、上記形態では薬液注入装置４００が提供する撮像被験者ＩＤ等に該当する複数の注入制御データがＰＡＣＳ３００に登録されていた場合、その複数の注入制御データがＰＡＣＳ３００から薬液注入装置４００に送信され、この薬液注入装置４００で最新の一つの注入制御データが選択されることを例示した。【０２８３】
しかし、ＰＡＣＳ３００で最新の一つの注入制御データが選択されて薬液注入装置４００に送信されてもよい。この場合、ＰＡＣＳ３００に専用の処理動作が必要となるが、送信データの容量を削減して輻輳を防止することができる。【０２８４】
また、ＰＡＣＳ３００から送信された複数の注入制御データが薬液注入装置４００で一覧表示され、その一覧表示された注入制御データの一つが選択操作されてもよい。この場合、注入作業者が所望により最適な注入制御データを選択することができる。さらに、ＰＡＣＳ３００から送信された複数の注入制御データから、例えば、体重が最も近いなどの所定条件に対応して薬液注入装置４００が一つを選択してもよい。【０２８５】
また、上記形態ではＲＩＳ１００で管理されている撮像オーダデータの全部が制御ボックス５００に取得され、この制御ボックス５００から薬液注入装置４００に撮像オーダデータの一部が注入条件データとして取得されることを例示した。しかし、撮像オーダデータの全部が注入条件データとして薬液注入装置４００に取得されてもよい。【０２８６】
さらに、上記形態ではＲＩＳ１００がプッシュ型であり、制御ボックス５００が適正な撮像オーダデータをタイミングにより取得することを例示した。しかし、ＲＩＳ１００がプル型であってもよい。【０２８７】
その場合、ＣＴスキャナ２００は、撮像オーダデータの取得要求を少なくとも一つのオーダ検索キーとともにＲＩＳ１００に送信する。すると、ＲＩＳ１００は、ＣＴスキャナ２００から受信した取得要求とオーダ検索キーとに対応して複数の撮像オーダデータから一つを選定して返信する。【０２８８】
そして、制御ボックス５００は、薬液注入装置４００から受信する撮像オーダデータの取得要求をＲＩＳ１００に送信する。すると、ＲＩＳ１００は、制御ボックス５００から受信した取得要求に対応して選定されている一つの撮像オーダデータを返信する。【０２８９】
または、ＲＩＳ１００は、ＣＴスキャナ２００から受信した取得要求に対応して複数の撮像オーダデータを返信する。この場合、ＣＴスキャナ２００は、返信された複数の撮像オーダデータから一つが選定される操作を受け付け、選定された撮像オーダデータをＲＩＳ１００に通知する。【０２９０】
または、ＲＩＳ１００は、ＣＴスキャナ２００から受信した取得要求とオーダ検索キーとに対応して複数の撮像オーダデータから一部を検索して返信する。ＣＴスキャナ２００は、返信された撮像オーダデータから一つが選定される操作を受け付け、選定された撮像オーダデータをＲＩＳ１００に通知する。【０２９１】
そこで、制御ボックス５００が、撮像オーダデータの取得要求をＲＩＳ１００に転送すると、ＲＩＳ１００は、制御ボックス５００から受信した取得要求に対応してＣＴスキャナ２００から通知されている一つの撮像オーダデータを返信する。【０２９２】
上述のようにすることで、ＲＩＳ１００がプル型であっても、制御ボックス５００が適正な撮像オーダデータを取得して撮像作業ＩＤなどを注入履歴データに付与することができる。【０２９３】
さらに、上記形態では制御ボックス５００がＲＩＳ１００から撮像オーダデータを取得することを例示した。しかし、ＲＩＳ１００とＣＴスキャナ２００とが制御ボックス５００を経由して接続されており、ＲＩＳ１００からＣＴスキャナ２００まで送信される撮像オーダデータを制御ボックス５００が取得してもよい。【０２９４】
また、制御ボックス５００がＲＩＳ１００に接続されることなくＣＴスキャナ２００に接続されており、このＣＴスキャナ２００から制御ボックス５００が撮像オーダデータを取得してもよい。【０２９５】
その場合、例えば、制御ボックス５００が、薬液注入装置４００から受信する取得要求をＣＴスキャナ２００に転送し、ＣＴスキャナ２００が、制御ボックス５００から受信した取得要求に対応して撮像オーダデータを返信すればよい。【０２９６】
または、ＣＴスキャナ２００が、プル型のＲＩＳ１００から返信された複数の撮像オーダデータから一つが選定される操作を受け付け、その選定された撮像オーダデータを制御ボックス５００に転送してもよい。【０２９７】
さらに、制御ボックス５００がＲＩＳ１００とＣＴスキャナ２００とに接続されており、最初の撮像オーダデータはＲＩＳ１００から取得され、確認の撮像オーダデータはＣＴスキャナ２００から取得されてもよい。【０２９８】
さらに、上記形態では薬液注入装置４００で生成された注入履歴データや注入制御データがＣＴスキャナ２００で生成された透視画像データとともにＰＡＣＳ３００に保存されることを例示した。【０２９９】
しかし、薬液注入装置４００から制御ボックス５００を経由してＲＩＳ１００に注入履歴データや注入制御データを送信し、この注入履歴データや注入制御データをＲＩＳ１００に保存させてもよい。この場合、ＲＩＳ１００では、撮像オーダデータと注入履歴データや注入制御データを作業ＩＤなどで関連させて管理することができる。【０３００】
この場合でも、ＰＡＣＳ３００に登録されている透視画像データにも撮像オーダデータの作業ＩＤが付与されているので、やはり透視画像データと注入履歴データや注入制御データを関連させることができる。【０３０１】
さらに、上記形態では撮像オーダデータの全部が透視画像データに付与されてＰＡＣＳ３００に保存されることを例示した。しかし、撮像オーダデータの撮像作業ＩＤのみが透視画像データに付与されてもよい。【０３０２】
この場合でも、撮像作業ＩＤにより透視画像データと注入履歴データや注入制御データを関連付けることができ、撮像オーダデータは撮像作業ＩＤによりＲＩＳ１００から読み出すことができる。【０３０３】
また、撮像オーダデータの撮像作業ＩＤのみ透視画像データに付与し、撮像オーダデータの全部を注入履歴データや注入制御データに付与してもよく、撮像オーダデータを透視画像データと注入履歴データや注入制御データとに振り分けて付与してもよい。さらに、薬液注入装置４００のタッチパネル４０３およびヘッドディスプレイ４１５の表示画像の全体を注入履歴データに内包させてもよい。【０３０４】
また、上記形態では薬液注入装置４００に注入制御データが設定されることのみ例示した。しかし、その注入制御データが薬液注入装置４００から制御ボックス５００に通知されてもよく、その注入制御データが制御ボックス５００からＲＩＳ１００に通知されてもよい。この場合、注入制御データをＲＩＳ１００からＣＴスキャナ２００に撮像オーダデータなどとともに通知することができる。【０３０５】
従って、ＣＴスキャナ２００を操作する注入作業者が注入制御データを参照することができるので、注入制御データに対応して撮像動作を調整するようなことができる。また、ＣＴスキャナ２００の撮像制御ユニット２１０が取得した注入制御データに基づいて撮像動作を自動調整することも不可能ではない。【０３０６】
また、上記形態では薬液注入装置４００で注入履歴データを完成してから制御ボックス５００に送信することを例示した。しかし、薬液注入装置４００が注入履歴データを制御ボックス５００に分散して送信し、制御ボックス５００で注入履歴データを完成してもよい。【０３０７】
より具体的には、薬液注入装置４００が注入開始とともに注入制御データや開始日時などを制御ボックス５００に送信し、注入過程で注入速度などを逐次送信し、注入終了とともに終了日時などを送信する。この場合、制御ボックス５００が注入開始から注入終了まで蓄積した各種データから注入履歴データを完成して出力することができる。【０３０８】
さらに、上記形態では各種装置１００〜６００，９００が改竄困難なＤＩＣＯＭ形式で各種データを相互通信することにより、注入履歴データなどの証拠能力が高いことを例示した。しかし、薬液注入装置４００が注入履歴データをＰＤＦ（Ｐｏｒｔａｂｌｅ  Ｄｏｃｕｍｅｎｔ  Ｆｏｒｍａｔ）などの改竄困難なデータフォーマットで生成してもよい。【０３０９】
同様に、制御ボックス５００が薬液注入装置４００からＪＰＥＧ（Ｊｏｉｎｔ  Ｐｈｏｔｏｇｒａｐｈｉｃ  Ｃｏｄｉｎｇ  Ｅｘｐｅｒｔｓ  Ｇｒｏｕｐ）形式で受信した注入履歴データをＰＤＦ形式に変換してもよい。さらに、薬液注入装置４００や制御ボックス５００が、いわゆるインターネットに接続されており、電子署名を取得して注入履歴データに付与してもよい。【０３１０】
さらに、上記形態では注入実行ヘッド４１０の手前となる左側面の後部から下方にヘッドディスプレイ４１５が直接に装着されていることを例示した。しかし、このようなヘッドディスプレイ４１５は、注入実行ヘッド４１０の操作を阻害せず、画面を確認できればよい。【０３１１】
このため、ヘッドディスプレイ４１５が、注入実行ヘッド４１０の右側面に装着されていてもよく、前部に装着されていてもよく、上方に装着されていてもよい(図示せず)。また、ヘッドディスプレイ４１５が注入実行ヘッド４１０に可動アームなどにより移動自在に装着されていてもよい(図示せず)。【０３１２】
さらに、上記形態では薬液注入装置４００が二個の薬液シリンジ８００により撮像被験者に造影剤と生理食塩水とを注入することを例示した。しかし、薬液注入装置が一個の薬液シリンジ８００により注入薬液として造影剤や生理食塩水などを撮像被験者に注入してもよい（図示せず）。【０３１３】
また、上記形態では透視撮像装置としてＣＴスキャナ２００を使用し、薬液注入装置４００が注入薬液としてＣＴ用の造影剤を注入することを例示した。しかし、透視撮像装置がＭＲＩやＰＥＴ装置や超音波診断装置などからなり、それ用の造影剤などを薬液注入装置が注入してもよい。【０３１４】
さらに、上記形態ではＣＴスキャナ２００と薬液注入装置４００とが個々にスタンドアロンで動作することを例示した。しかし、ＣＴスキャナ２００と薬液注入装置４００とがデータ通信により各種の動作を連動させてもよい。【０３１５】
また、上記形態では説明を簡単とするため、透視撮像システム１０００の各部が各々一個であることを例示した。しかし、大規模な病院などでは、複数の透視撮像システム１０００の各々がＲＩＳ１００とＣＴスキャナ２００と薬液注入装置４００と制御ボックス５００とを一個ずつ有し、その複数の透視撮像システム１０００がＰＡＣＳ３００と画像閲覧装置６００とを共有する構造でよい（図示せず）。ただし、このような場合でも、ＲＩＳ１００やＰＡＣＳ３００や画像閲覧装置６００などのハードウェアは並列に接続された複数であってよい（図示せず）。【０３１６】
さらに、上記形態では一個のＰＡＣＳ３００で透視画像データと注入履歴データや注入制御データが保存されることを例示した。しかし、透視画像データと注入履歴データと注入制御データとを保存するハードウェアが別個に形成されていて通信ネットワークで接続されていてもよい。【０３１７】
また、上記形態では、ＲＩＳ１００、ＣＴスキャナ２００、ＰＡＣＳ３００、薬液注入装置４００、制御ボックス５００、画像閲覧装置６００、ＨＩＳ９００、が別体に形成されていて通信ネットワーク７００〜７０６により接続されていることを例示した。【０３１８】
しかし、上述のような各種装置１００〜６００，９００が各種の組み合わせで一体に形成されていてもよい。例えば、薬液注入装置４００の注入制御ユニット４０１と制御ボックス５００が一体に形成されていること、これにＲＩＳ１００やＰＡＣＳ３００が一体に形成されていること、ＰＡＣＳ３００と画像閲覧装置６００とが一体に形成されていること、等も可能である。【０３１９】
また、制御ボックス５００に、ＲＩＳ１００やＰＡＣＳ３００が一体に形成されていること、制御ボックス５００とＰＡＣＳ３００と画像閲覧装置６００とが一体に形成されていること、等も可能である。【０３２０】
さらに、ＣＴスキャナ２００の撮像制御ユニット２１０とＲＩＳ１００と制御ボックス５００とが一体に形成されていること、ＣＴスキャナ２００の撮像制御ユニット２１０とＰＡＣＳ３００と制御ボックス５００とが一体に形成されていること、これに画像閲覧装置６００が一体に形成されていること、等も可能である。【０３２１】
また、画像閲覧装置６００とＰＡＣＳ３００とが一体に形成されていること、これに制御ボックス５００やＣＴスキャナ２００の撮像制御ユニット２１０が一体に形成されていること、等も可能である。【０３２２】
さらに、上記形態ではクレアチニン測定装置９２０や体重身長計９３０が薬液注入装置４００に直接に接続されていることを例示した。しかし、クレアチニン測定装置９２０や体重身長計９３０が制御ボックス５００やＲＩＳ１００やＨＩＳ９００を経由するなどして薬液注入装置４００に接続されていてもよい。【０３２３】
また、上記形態では年齢が登録されているＨＩＳ９００の電子カルテからＲＩＳ１００の撮像オーダデータが登録されることにより、薬液注入装置４００が撮像被験者の年齢を取得することを例示した。しかし、この薬液注入装置４００が制御ボックス５００やＲＩＳ１００やＨＩＳ９００を経由するなどして、いわゆる住基ネットなどから撮像被験者の年齢を取得することも不可能ではない。【０３２４】
さらに、上記形態ではコンピュータプログラムに対応してコンピュータ装置が動作することにより、各種装置１００〜６００，９００の各部が各種機能として論理的に実現されることを例示した。【０３２５】
しかし、その各部の各々を固有のハードウェアとして形成することも可能であり、一部をソフトウェアとして形成するとともに一部をハードウェアとして形成することも可能である。【０３２６】
なお、当然ながら、上述した実施の形態および複数の変形例は、その内容が相反しない範囲で組み合わせることができる。また、上述した実施の形態および変形例では、各部の構造などを具体的に説明したが、その構造などは本願発明の機能を満足する範囲で各種に変更することができる。【０３２７】
この出願は、２００８年６月２４日に出願された日本出願特願２００８−１６４４５７号を基礎とする優先権を主張し、その開示の全てを、ここに取り込む。
以下、参考形態の例を付記する。
１．  透視画像データが撮像される撮像被験者に薬液注入を実行する薬液注入装置であって、
前記薬液注入を実行する注入実行機構と、
設定される注入制御データに対応して前記注入実行機構を動作制御して前記薬液注入を実行させる注入制御部と、
前記薬液注入の実行以前に前記撮像被験者の腎機能データを取得するデータ入力部と、
取得された前記腎機能データに対応した前記注入制御データを生成して前記注入制御部に設定する制御設定部と、
を有する薬液注入装置。
２．  前記制御設定部は、前記薬液注入の注入総量と注入時間と注入速度との少なくとも一つを前記腎機能データに対応して調整した前記注入制御データを生成する１に記載の薬液注入装置。
３．  前記制御設定部は、前記薬液注入の注入速度を経時変化させる注入変化パターンを前記腎機能データに対応して調整した前記注入制御データを生成する１または２に記載の薬液注入装置。
４．  前記データ入力部は、注入薬液に対応した薬液条件データも取得し、
前記制御設定部は、前記薬液条件データにも対応して前記注入制御データを生成する１ないし３の何れかに記載の薬液注入装置。
５．  前記注入実行機構は、前記薬液条件データが記録されていて前記注入薬液が充填されている薬液シリンジを駆動し、
前記データ入力部は、前記薬液シリンジから前記薬液条件データを取得する４に記載の薬液注入装置。
６．  前記注入実行機構は、前記薬液条件データが記録されているＲＦＩＤチップが搭載されている前記薬液シリンジを駆動し、
前記データ入力部は、前記ＲＦＩＤチップから前記薬液条件データを取得する５に記載の薬液注入装置。
７．  前記腎機能データと前記薬液条件データと前記注入制御データとの少なくとも一部を表示出力と音声出力との少なくとも一方で報知出力するデータ報知部を、さらに有する４ないし６の何れかに記載の薬液注入装置。
８．  前記注入実行機構は、注入薬液として造影剤とともに生理食塩水も注入し、
前記注入制御部は、前記造影剤と前記生理食塩水との少なくとも一方の前記注入制御データを前記腎機能データに対応して生成する１ないし７の何れかに記載の薬液注入装置。
９．  前記注入制御部は、前記造影剤と前記生理食塩水との注入割合を前記腎機能データに対応して調整した前記注入制御データを生成する８に記載の薬液注入装置。
１０．  前記データ入力部は、前記腎機能データとして血清クレアチニン値と糸球体濾過値との少なくとも一方を取得する１ないし９の何れかに記載の薬液注入装置。
１１．  前記データ入力部は、前記腎機能データとして血清クレアチニン値と年齢と体重とを取得し、
前記制御設定部は、取得された前記血清クレアチニン値と前記年齢と前記体重とで糸球体濾過値の推定値を算出する１ないし９の何れかに記載の薬液注入装置。
１２．  前記制御設定部は、前記糸球体濾過値の推定値を
（１４０−年齢）×体重／７２×血清クレアチニン値
として算出する１１に記載の薬液注入装置。
１３．  前記データ入力部は、前記腎機能データとして血清クレアチニン値と年齢と体重と性別とを取得し、
前記制御設定部は、取得された前記血清クレアチニン値と前記年齢と前記体重と前記性別とで糸球体濾過値の推定値を算出する１ないし９の何れかに記載の薬液注入装置。
１４．  前記制御設定部は、前記性別が男性の前記糸球体濾過値の推定値を
（１４０−年齢）×体重／７２×血清クレアチニン値
として算出し、前記性別が女性の前記糸球体濾過値の推定値を
（１４０−年齢）×体重／７２×血清クレアチニン値×０．８５
として算出する１３に記載の薬液注入装置。
１５．  前記データ入力部は、前記腎機能データとして血清クレアチニン値と年齢と性別とを取得し、
前記制御設定部は、取得された前記血清クレアチニン値と前記年齢と前記性別とで糸球体濾過値の推定値を算出する１ないし９の何れかに記載の薬液注入装置。
１６．  前記制御設定部は、前記性別が男性の前記糸球体濾過値の推定値を
１９４×血清クレアチニン値の冪乗−１．０９４×年齢−０．２８７
として算出し、前記性別が女性の前記糸球体濾過値の推定値を
(１９４×血清クレアチニン値の冪乗−１．０９４×年齢−０．２８７)×０．７３９
として算出する１５に記載の薬液注入装置。
１７．  前記制御設定部は、前記性別が男性の前記糸球体濾過値の推定値を
１７５×血清クレアチニン値−１．１５４×年齢−０．２０３×０．７４１
として算出し、前記性別が女性の前記糸球体濾過値の推定値を
１７５×血清クレアチニン値−１．１５４×年齢−０．２０３×０．７４２
として算出する１５に記載の薬液注入装置。
１８．  前記データ入力部は、体表面積も取得し、
前記制御設定部は、取得された前記体表面積で糸球体濾過値の推定値を補正する１１ないし１７の何れかに記載の薬液注入装置。
１９．  前記データ入力部は、前記腎機能データとして身長も取得し、
前記制御設定部は、取得された前記身長と前記体重とで前記体表面積を算出する１８に記載の薬液注入装置。
２０．  前記データ入力部は、別体の体重身長計により前記撮像被験者から測定された体重および身長を前記腎機能データの少なくとも一部として取得する１９に記載の薬液注入装置。
２１．  前記データ入力部は、別体のクレアチニン測定装置により前記撮像被験者の血液から測定された前記血清クレアチニン値を前記腎機能データの少なくとも一部として取得する１０ないし１７の何れかに記載の薬液注入装置。
２２．  前記データ入力部は、別体のカルテ管理装置で前記撮像被験者ごとにデータ管理されている被験者電子カルテから前記腎機能データの少なくとも一部を取得する１ないし２１の何れかに記載の薬液注入装置。
２３．  前記データ入力部は、別体の撮像管理装置で撮像作業ごとにデータ管理されている撮像オーダデータから前記腎機能データの少なくとも一部を取得する１ないし２２の何れかに記載の薬液注入装置。
２４．  取得された前記腎機能データから前記撮像被験者の腎機能不良を判定する機能判定部と、
判定された前記腎機能不良を確認警告を報知出力する警告報知部とを、
さらに有する１ないし２３の何れかに記載の薬液注入装置。
２５．  前記注入制御データに対応した前記注入実行機構の動作履歴からなる注入履歴データを生成する履歴生成部と、
生成された前記注入履歴データを外部に送信して前記透視画像データとともに保存させるデータ出力部とを、
さらに有する１ないし２４の何れかに記載の薬液注入装置。
２６．  前記履歴生成部は、前記腎機能データと前記注入制御データとの少なくとも一部も前記注入履歴データに登録する２５に記載の薬液注入装置。
２７．  前記データ入力部は、注入薬液に対応した薬液条件データも取得し、
前記データ出力部は、取得された前記薬液条件データと前記注入制御データと前記注入履歴データとの少なくとも一部を各種の会計関連データに基づいて撮像作業の会計処理を実行する外部の会計処理装置に前記会計関連データの一部として送信する２５または２６に記載の薬液注入装置。
２８．  撮像被験者から透視画像データを撮像する透視撮像装置と、
前記撮像被験者に薬液注入を実行する１ないし２７の何れかに記載の薬液注入装置と、
前記薬液注入装置に前記撮像被験者ごとの前記腎機能データを提供するデータ提供装置と、
を有する透視撮像システム。
２９．  透視画像データが撮像される撮像被験者に注入実行機構で薬液注入を実行する薬液注入装置のコンピュータプログラムであって、
設定される注入制御データに対応して前記注入実行機構を動作制御して前記薬液注入を実行させる注入制御処理と、
前記薬液注入の実行以前に前記撮像被験者の腎機能データを取得するデータ取得処理と、
取得された前記腎機能データに対応した前記注入制御データを生成する制御設定処理と、
を前記薬液注入装置に実行させるコンピュータプログラム。
３０．  透視画像データが撮像される撮像被験者に注入実行機構で薬液注入を実行する薬液注入装置のデータ処理方法であって、
設定される注入制御データに対応して前記注入実行機構を動作制御して前記薬液注入を実行させる注入制御動作と、
前記薬液注入の実行以前に前記撮像被験者の腎機能データを取得するデータ取得動作と、
取得された前記腎機能データに対応した前記注入制御データを生成する制御設定動作と、
を前記薬液注入装置に実行させるデータ処理方法。
【図１】
0005485885.tif 000002
【図２】
0005485885.tif 000003
【図３】
0005485885.tif 000004
【図４】
0005485885.tif 000005
【図５】
0005485885.tif 000006
【図６】
0005485885.tif 000007
【図７】
0005485885.tif 000008
【図８】
0005485885.tif 000009
【図９】
0005485885.tif 000010
【図１０】
0005485885.tif 000011
【図１１】
0005485885.tif 000012
【図１２】
0005485885.tif 000013
【図１３】
0005485885.tif 000014
【図１４】
0005485885.tif 000015
【図１５】
0005485885.tif 000016
【図１６】
0005485885.tif 000017
【図１７】
0005485885.tif 000018
【図１８】
0005485885.tif 000019
【図１９】
0005485885.tif 000020
【図２０】
0005485885.tif 000021
【図２１】
0005485885.tif 000022
【図２２】
0005485885.tif 000023
【図２３】
0005485885.tif 000024